(57)【要約】【課題】帯状の後光の発生を抑制することができる表示装置を提供する。【解決手段】表示装置は、複数の画素を有する表示パネルと、表示パネルの背面側に設けられた導光板と、導光板の側方から光を照射する光源と、表示パネルと導光板との間に設けられた調光パネルと、表示パネル、光源及び調光パネルの動作を制御する制御部と、を備え、調光パネルは、光源からの光の照射方向に並ぶ複数の調光領域を有し、複数の調光領域は、表示パネルによる画像の表示に必要な光の強さに応じて個別に光の透過率を変更可能に設けられ、制御部は、隣接する２つの調光領域の各々の光の透過率が異なる場合、光の透過率が低い調光領域が位置する画素のうち該２つの調光領域の境界から所定範囲に位置する画素を対象画素とし、対象画素の出力階調値を高くする。【選択図】図２２
2019028418.tif 000002
【特許請求の範囲】
【請求項１】
複数の画素を有する表示パネルと、
表示パネルの背面側に設けられた導光板と、
前記導光板の側方から光を照射する光源と、
前記導光板に対して表示パネル側に設けられた調光パネルと、
少なくとも前記表示パネル及び前記調光パネルの動作を制御する制御部と、を備え、
前記調光パネルは、前記光源からの光の照射方向に並ぶ複数の調光領域を有し、
複数の調光領域は、前記表示パネルによる画像の表示に必要な光の強さに応じて個別に光の透過率を変更可能に設けられ、
前記制御部は、隣接する２つの調光領域の各々の光の透過率が異なる場合、光の透過率が低い調光領域が位置する画素のうち該２つの調光領域の境界から所定の範囲に位置する画素を対象画素とし、前記対象画素の出力階調値を高くする
表示装置。
【請求項２】
前記制御部は、前記２つの調光領域の境界により近い前記対象画素の出力階調値をより高くする
請求項１に記載の表示装置。
【請求項３】
前記光源は、前記導光板の一端側から光を照射する
請求項１又は２に記載の表示装置。
【請求項４】
前記導光板を挟んで対向する位置に設けられた複数の光源を有する
請求項１又は２に記載の表示装置。
【請求項５】
前記調光領域は、光の透過率を、最低透過率、最高透過率又は前記最低透過率と前記最高透過率との間の透過率である１種類以上の中間透過率のいずれかに変更可能に設けられ、
前記制御部は、前記隣接する２つの調光領域のうち光の透過率が低い調光領域における光の透過率が前記最低透過率である場合、前記最低透過率でない場合に比して前記対象画素の出力階調値をより高くする
請求項１から４のいずれか一項に記載の表示装置。
【請求項６】
前記調光領域は、前記光源から前記導光板への光の照射方向と交差する方向に延出する
請求項１から５のいずれか一項に記載の表示装置。
【請求項７】
前記導光板は、前記光源からの光の照射方向と当該照射方向に交差する方向に並ぶ複数の出射部と、前記複数の出射部の各々に光を導く複数のガイド部を有し、
前記複数のガイド部にはそれぞれ１つ以上の光源が設けられ、
前記調光パネルは、前記光源からの光の照射方向と当該照射方向に交差する方向に並ぶ複数の調光領域を有する
請求項１から４のいずれか一項に記載の表示装置。
【請求項８】
複数の画素を有する表示パネルと、
交差する２方向に並ぶ複数の発光領域を有する光源部と、
前記光源部に対して表示パネル側に設けられた調光パネルと、
少なくとも前記表示パネル及び前記調光パネルの動作を制御する制御部と、を備え、
前記調光パネルは、前記２方向に並ぶ複数の調光領域を有し、
複数の調光領域は、前記表示パネルによる画像の表示に必要な光の強さに応じて個別に光の透過率を変更可能に設けられ、
前記制御部は、隣接する２つの調光領域の各々の光の透過率が異なる場合、光の透過率が低い調光領域が位置する画素のうち該２つの調光領域の境界から所定の範囲に位置する画素を対象画素とし、前記対象画素の出力階調値を高くする
表示装置。
【発明の詳細な説明】
【技術分野】
【０００１】
本発明は、表示装置に関する。
【背景技術】
【０００２】
背面側からの光で照明される表示装置において、光漏れを抑制する目的で、表示用のパネルと光源との間に光の透過率を制御可能な追加のパネルを設ける構成が知られている（例えば特許文献１）。
【先行技術文献】
【特許文献】
【０００３】
【特許文献１】特開２０１５−１９１０５３号公報
【発明の概要】
【発明が解決しようとする課題】
【０００４】
しかしながら、追加のパネルを設けたとしても、追加のパネルにおいて透過率を個別に制御される部分領域同士が隣接する位置で透過率の差がある場合、当該透過率の差に応じた光量の差が生じる。このような光量の差は、部分領域同士の隣接位置に沿った帯状の後光として視認されることがある。このような帯状の後光は、コントラストの低下、画質の低下等の問題を生じさせる。
【０００５】
本発明は、上記の課題に鑑みてなされたもので、帯状の後光の発生を抑制することができる表示装置を提供することを目的とする。
【課題を解決するための手段】
【０００６】
本発明の一態様による表示装置は、複数の画素を有する表示パネルと、表示パネルの背面側に設けられた導光板と、前記導光板の側方から光を照射する光源と、前記導光板に対して表示パネル側に設けられた調光パネルと、少なくとも前記表示パネル及び前記調光パネルの動作を制御する制御部と、を備え、前記調光パネルは、前記光源からの光の照射方向に並ぶ複数の調光領域を有し、複数の調光領域は、前記表示パネルによる画像の表示に必要な光の強さに応じて個別に光の透過率を変更可能に設けられ、前記制御部は、隣接する２つの調光領域の各々の光の透過率が異なる場合、光の透過率が低い調光領域が位置する画素のうち該２つの調光領域の境界から所定範囲に位置する画素を対象画素とし、前記対象画素の出力階調値を高くする。
【図面の簡単な説明】
【０００７】
【図１】図１は、本発明の実施形態１の表示装置の主要構成例を示す図である。
【図２】図２は、画像表示パネル、調光パネル、光源装置の位置関係の一例を示す図である。
【図３】図３は、調光パネルの表示面側に偏光板が設けられている例を示す図である。
【図４】図４は、画像表示パネルの画素配列の一例を示す図である。
【図５】図５は、画像表示パネルの概略断面構造の一例を示す断面図である。
【図６】図６は、表示領域と表示分割領域との関係の一例を示す図である。
【図７】図７は、光源装置の主要構成の一例を示す図である。
【図８】図８は、光源装置の別の構成例を示す図である。
【図９】図９は、調光パネルが有する調光領域とＹ方向の座標との関係の一例を示す図である。
【図１０】図１０は、調光部の主要構成の一例を示す図である。
【図１１】図１１は、調光部の主要構成の別の一例を示す図である。
【図１２】図１２は、調光パネルの概略断面構造の一例を示す断面図である。
【図１３】図１３は、光源からの光による輝度分布（光源輝度分布）の一例を示す図である。
【図１４】図１４は、図１３に示す光源輝度分布が得られる条件下で画像を出力する画像表示パネルの透過率の一例を示す図である。
【図１５】図１５は、図１３に示す光源輝度分布が得られる条件下で図１４に示す画像表示パネルの透過率となるよう画像表示パネルを動作させた場合における表示装置の出力輝度を示す図である。
【図１６】図１６は、調光パネルによる輝度の低下を考慮しない場合における図１５の範囲Ａを拡大した模式図である。
【図１７】図１７は、光源から光が届く範囲の一例を示す模式図である。
【図１８】図１８は、調光パネルの透過率の一例を示す図である。
【図１９】図１９は、図１８に示す透過率の調光パネルを図１３に示す光源輝度分布の光源装置と図１４に示す透過率の画像表示パネルとの間に介在させた場合の出力輝度の拡大模式図である。
【図２０】図２０は、出力輝度の急変ラインの例を示す模式図である。
【図２１】図２１は、実施形態１において、図１３に示す光源輝度分布及び図１８に示す調光パネルの透過率が得られる条件下で画像を出力する画像表示パネルの透過率の一例を示す図である。
【図２２】図２２は、図１８に示す透過率の調光パネルを図１３に示す光源輝度分布の光源装置と図２１に示す透過率の画像表示パネルとの間に介在させた場合の出力輝度の拡大模式図である。
【図２３】図２３は、信号処理部の機能構成の一例を示すブロック図である。
【図２４】図２４は、信号処理部による処理の流れを示すフローチャートである。
【図２５】図２５は、図２４に示すフローチャートのステップＳ１からステップＳ５の処理内容の一例を模式的に示す図である。
【図２６】図２６は、図２４における出力階調値の算出処理の流れを示すフローチャートである。
【図２７】図２７は、変形例における信号処理部の機能構成の別の一例を示すブロック図である。
【図２８】図２８は、変形例の信号処理部による処理の流れを示すフローチャートである。
【図２９】図２９は、図２８に示すフローチャートのステップＳ１１からステップＳ１５で行われる処理内容の一例を模式的に示す図である。
【図３０】図３０は、図２８に示すフローチャートのステップＳ１６からステップＳ１８で行われる処理内容の一例を模式的に示す図である。
【図３１】図３１は、実施形態２の光源装置の一例を示す図である。
【図３２】図３２は、実施形態２の光源装置の別の一例を示す図である。
【図３３】図３３は、実施形態２の光源装置の別の一例を示す図である。
【図３４】図３４は、実施形態２の調光部の主要構成例を示す図である。
【図３５】図３５は、表示出力内容の一例を示す模式図である。
【図３６】図３６は、図３５に示す表示出力内容に対応した光源輝度分布の一例を示す模式図である。
【図３７】図３７は、図３６に示す光源輝度分布で出力輝度の急変ラインが生じる場合を示す模式図である。
【図３８】図３８は、実施形態２の信号処理部による処理の流れを示すフローチャートである。
【図３９】図３９は、図３８に示すフローチャートのステップＳ２１からステップＳ２５の処理内容の一例を模式的に示す図である。
【図４０】図４０は、図３８における出力階調値の算出処理の流れを示すフローチャートである。
【図４１】図４１は、実施形態２において対象画素の階調値の算出に用いられる前処理係数の例を示す図である。
【発明を実施するための形態】
【０００８】
以下に、本発明の各実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、本発明の実施形態１の表示装置１の主要構成例を示す図である。実施形態１の表示装置１は、信号処理部１０、表示部２０、光源装置５０、光源制御回路６０及び調光部７０を備える。信号処理部１０は、外部の制御装置２から入力される入力信号ＩＰに基づいた各種の出力を行い、表示部２０、光源装置５０及び調光部７０の動作を制御する。入力信号ＩＰは、表示装置１に画像を表示出力させるためのデータとして機能する信号であり、例えばＲＧＢ画像信号である。信号処理部１０は、入力信号ＩＰに基づいて生成された出力画像信号ＯＰを表示部２０に出力する。また、信号処理部１０は、入力信号ＩＰに基づいて生成されたローカルディミング信号ＤＩを調光部７０に出力する。また、信号処理部１０は、入力信号ＩＰが入力されると、光源装置５０が有する光源５１（図７参照）の各々の点灯量を制御するための光源駆動信号ＢＬを光源制御回路６０に出力する。光源制御回路６０は、例えば光源装置５０が有する光源５１（図７参照）を点灯させるためのドライバ回路であり、光源駆動信号ＢＬに応じて光源装置５０を動作させる。
【００１０】
表示部２０は、画像表示パネル３０及び画像表示パネル駆動部４０を有する。画像表示パネル３０は、複数の画素４８が設けられた表示領域ＯＡを有する。複数の画素４８は、例えばマトリクス状に配置されている。実施形態１の画像表示パネル３０は、液晶画像表示パネルである。画像表示パネル駆動部４０は、信号出力回路４１及び走査回路４２を有する。信号出力回路４１は、出力画像信号ＯＰに応じて複数の画素４８を駆動する。走査回路４２は、マトリクス状に配置された複数の画素４８を所定行（例えば、１行）単位で走査する駆動信号を出力する。画素４８は、駆動信号が出力されたタイミングで出力画像信号ＯＰに応じた階調値の出力が行われるよう駆動される。
【００１１】
調光部７０は、光源装置５０から照射されて表示領域ＯＡを経て出力される光量を調節する。調光部７０は、調光パネル８０及び回路部９０を有する。調光パネル８０は、光の透過率を変更可能に設けられたローカルディミング領域ＤＡを有する。ローカルディミング領域ＤＡは、表示領域ＯＡを平面視した場合に表示領域ＯＡに重畳する位置に配置されている。ローカルディミング領域ＤＡは、平面視で表示領域ＯＡ全体をカバーする。回路部９０は、ローカルディミング信号ＤＩに応じてローカルディミング領域ＤＡに設けられた複数の調光領域ＬＤ（図９参照）の各々の透過率を個別に制御する。
【００１２】
図２は、画像表示パネル３０、調光パネル８０、光源装置５０の位置関係の一例を示す図である。実施形態１では、図２に例示するように、画像表示パネル３０、調光パネル８０、光源装置５０が積層されている。具体的には、光源装置５０から光が出力される照射面側に調光パネル８０が積層されている。また、調光パネル８０を挟んで光源装置５０の反対側に画像表示パネル３０が積層されている。光源装置５０から照射された光は、調光パネル８０のローカルディミング領域ＤＡで光量を調節されて画像表示パネル３０を照明する。画像表示パネル３０は、光源装置５０が位置する背面側から照明されて、その反対側（表示面側）に画像を表示出力する。このように、光源装置５０は、画像表示パネル３０の表示領域ＯＡを背面から照明するバックライトとして機能する。また、実施形態１では、調光パネル８０は、画像表示パネル３０と光源装置５０との間に設けられている。以下、画像表示パネル３０、調光パネル８０、光源装置５０が積層される方向をＺ方向とする。また、Ｚ方向に直交する２方向をＸ方向及びＹ方向とする。Ｘ方向とＹ方向は直交する。複数の画素４８は、Ｘ方向とＹ方向に沿ってマトリクス状に並ぶ。以下の説明では、Ｘ方向に並ぶ画素４８の数がｈであり、Ｙ方向に並ぶ画素４８の数がｖであるものとする。また、（ｈ）の記載は、Ｘ方向の座標管理がＸ方向に並ぶ画素４８の位置に対応して行われている場合を示す。また、（ｖ）の記載は、Ｙ方向の座標管理がＹ方向に並ぶ画素４８の位置に対応して行われている場合を示す。また、（ｈ，ｖ）の記載は、Ｘ方向及びＹ方向の座標管理がＸ方向及びＹ方向に並ぶ画素４８の位置に対応して行われている場合を示す。
【００１３】
なお、画像表示パネル３０は、アレイ基板３０ａと、アレイ基板３０ａに対して表示面側に位置してアレイ基板３０ａと対向する対向基板３０ｂとを有する。後述するように、アレイ基板３０ａと対向基板３０ｂとの間には液晶層ＬＣ１が配置されている（図５参照）。アレイ基板３０ａの背面側には偏光板３０ｃが設けられている。対向基板３０ｂの表示面側には偏光板３０ｄが設けられている。また、調光パネル８０は、第１基板８０ａと、第１基板８０ａに対して表示面側に位置して第１基板８０ａと対向する第２基板８０ｂとを有する。後述するように、第１基板８０ａと第２基板８０ｂとの間には液晶層ＬＣ２が配置されている（図１２参照）。第１基板８０ａの背面側には偏光板８０ｃが設けられている。偏光板３０ｃは、画像表示パネル３０の背面側の偏光と調光パネル８０の表示面側の偏光とを併せて行う。
【００１４】
図３は、調光パネル８０の表示面側に偏光板８０ｄが設けられている例を示す図である。図３に示すように、第２基板８０ｂの表示面側に偏光板８０ｄが設けられていてもよい。
【００１５】
図４は、画像表示パネル３０の画素配列の一例を示す図である。図４に例示するように、画素４８は、例えば、第１副画素４９Ｒと、第２副画素４９Ｇと、第３副画素４９Ｂとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。このように、画像表示パネル３０に行列状に配列された画素４８は、第１の色を表示する第１副画素４９Ｒ、第２の色を表示する第２副画素４９Ｇ及び第３の色を表示する第３副画素４９Ｂを含む。第１の色、第２の色及び第３の色は、第１原色、第２原色及び第３原色に限られず、補色など色が異なっていればよい。以下の説明において、第１副画素４９Ｒ、第２副画素４９Ｇと、第３副画素４９Ｂとをそれぞれ区別する必要がない場合、副画素４９という。
【００１６】
画素４８は、第１副画素４９Ｒ、第２副画素４９Ｇと、第３副画素４９Ｂに加えて、さらに副画素４９を有していてもよい。例えば、画素４８は、第４の色を表示する第４副画素を有していてもよい。第４副画素は、第４の色（例えば、白色）を表示する。第４副画素は、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。
【００１７】
表示装置１は、より具体的には、透過型のカラー液晶表示装置である。図４に例示するように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。第１カラーフィルタ、第２カラーフィルタ及び第３カラーフィルタは、後述するフィルタ膜２６に含まれる構成である。
【００１８】
なお、第４副画素が設けられる場合、第４副画素と画像観察者との間にカラーフィルタが配置されていない。この場合には、第４副画素に大きな段差が生じることとなる。このため、第４副画素には、カラーフィルタの代わりに透明な樹脂層が備えられていてもよい。これにより、第４副画素に大きな段差が生じることを抑制することができる。
【００１９】
信号出力回路４１は、信号線ＤＴＬによって画像表示パネル３０と電気的に接続されている。画像表示パネル駆動部４０は、走査回路４２によって、画像表示パネル３０における副画素４９を選択し、副画素４９の動作（光透過率）を制御するためのスイッチング素子（例えば、薄膜トランジスタ（ＴＦＴ：Thin  Film  Transistor））のオン（ＯＮ）及びオフ（ＯＦＦ）を制御する。走査回路４２は、走査線ＳＣＬによって画像表示パネル３０と電気的に接続されている。実施形態１では、走査線ＳＣＬがＸ方向に沿い、信号線ＤＴＬがＹ方向に沿っているが、これは走査線ＳＣＬ及び信号線ＤＴＬの延設方向の一例であってこれに限られるものでなく、適宜変更可能である。
【００２０】
図５は、画像表示パネル３０の概略断面構造の一例を示す断面図である。アレイ基板３０ａは、ガラス基板等の画素基板２１の上方に設けられたフィルタ膜２６と、フィルタ膜２６の上方に設けられた対向電極２３と、対向電極２３の上に接して設けられた絶縁膜２４と、絶縁膜２４の上の画素電極２２と、アレイ基板３０ａの最上面側に設けられた第１配向膜２８とを有する。対向基板３０ｂは、ガラス基板等の対向画素基板３１と、対向画素基板３１の下面に設けられた第２配向膜３８と、上面に設けられた偏光板３５とを含む。アレイ基板３０ａと対向基板３０ｂとはシール部２９を介して固定されている。アレイ基板３０ａ、対向基板３０ｂ、及びシール部２９によって囲まれた空間には、液晶層ＬＣ１が封止されている。液晶層ＬＣ１は、印加される電界に応じて配向方向が変化する液晶分子を含む。液晶層ＬＣ１は、電界の状態に応じて液晶層ＬＣ１内部を通過する光を変調するものである。液晶層ＬＣ１の液晶分子の方向が、画素電極２２と対向電極２３との間で印加される電界によって変化し、液晶層ＬＣ１を通過する光の透過量が変化する。複数の副画素４９はそれぞれ、画素電極２２を有する。複数の副画素４９の動作（光透過率）を個別に制御するための複数のスイッチング素子は、画素電極２２と電気的に接続されている。
【００２１】
図６は、表示領域ＯＡと表示分割領域との関係の一例を示す図である。表示領域ＯＡは、複数の表示分割領域ＰＡを有する。複数の表示分割領域ＰＡを合わせた領域が表示領域ＯＡである。図６に示す表示領域ＯＡは、Ｘ方向に沿って設定されたｘ１，ｘ２，…，ｘ９の座標とＹ方向に沿って設定されたｙ１，ｙ２，ｙ３，ｙ４の座標の組み合わせに対応した計３６の座標の各々に対応する位置に個別に設けられた表示分割領域ＰＡを有する。以下、座標を用いて表示分割領域ＰＡ等の位置を示すことがある。例えば、「（ｘ１）の表示分割領域ＰＡ」は、Ｘ方向の座標がｘ１である位置に設けられた表示分割領域ＰＡを示す。また、「（ｙ１）の表示分割領域ＰＡ」は、Ｙ方向の座標がｙ１である位置に設けられた表示分割領域ＰＡを示す。また、「（ｘ１，ｙ１）の表示分割領域ＰＡ」は、Ｘ方向の座標がｘ１であり、Ｙ方向の座標がｙ１である位置に設けられた表示分割領域ＰＡを示す。光源５１並びに後述する光源領域ＧＡ及び調光領域ＬＤについても、同様の記載で位置を示すことがある。
【００２２】
表示領域ＯＡが有する表示分割領域ＰＡの座標のうち、Ｘ方向の座標は、光源装置５０が有する複数の光源５１の数及び各々の光源５１のＸ方向の位置に対応している（図７参照）。また、表示領域ＯＡが有する表示分割領域ＰＡの座標のうち、Ｙ方向の座標は、調光パネル８０が有する複数の調光領域の数及び各々の調光領域のＹ方向の位置に対応している（図９参照）。
【００２３】
図７は、光源装置５０の主要構成の一例を示す図である。光源装置５０は、例えば、導光板ＬＡ及び複数の光源５１を有する。導光板ＬＡは、Ｘ−Ｙ平面視で表示領域ＯＡに対応する位置で画像表示パネル３０の背面側に設けられている。複数の光源５１は、Ｙ方向の一端側でＸ方向に沿って並んでいる。光源５１は、導光板ＬＡの側方から光を照射する。光源５１は、例えば白色光を発する発光ダイオード（ＬＥＤ：Light  Emitting  Diode）であるが、これに限られるものでなく、適宜変更可能である。光源５１からの光は、導光板ＬＡに導かれて表示領域ＯＡ全体を背面側から照明する。
【００２４】
図７に示す例では、Ｘ方向の座標（ｘ１，ｘ２，…，ｘ９）の各々に対応する光源５１が個別に配置されている。また、導光板ＬＡは、Ｘ方向の座標（ｘ１，ｘ２，…，ｘ９）の各々に対応するよう設けられた複数の光源領域ＧＡを有する。複数の光源領域ＧＡは、光源５１から光が照射されると、各々のＸ方向の座標に対応する表示分割領域ＰＡの背面側から画像表示パネル３０を照明するように光を導く。複数の光源領域ＧＡはそれぞれ、対応するＸ方向の座標（ｘ１，ｘ２，…，ｘ９）の光源５１からの光を導くことを想定されている。以下に説明する光源５１の点灯量制御では、複数の光源領域ＧＡにそれぞれ対応するＸ方向の座標（ｘ１，ｘ２，…，ｘ９）の光源５１からの光が照射されることを前提として説明する。
【００２５】
なお、ある１つの光源領域ＧＡに、Ｘ方向の座標（ｘ１，ｘ２，…，ｘ９）が対応しない光源５１の光も進入し得る。後述する点灯量算出部１０４（図２３参照）は、このような対応しない座標の光源５１からの光を含めて、複数の光源領域ＧＡの輝度分布と光源５１の点灯量との関係を求めるための参照データを有していてもよい。参照データを有する場合、点灯量算出部１０４は、光源５１の点灯量の算出に際して参照データを用いる。
【００２６】
実施形態１では、光源５１は、導光板ＬＡの一端側から光を照射する。具体的には、実施形態１では、例えば図７に示すようにＹ方向の一端側でＸ方向に沿って一列に並ぶ９つの光源５１が設けられている。図７に示す例は、光源５１の数及び配置の一例であってこれに限られるものでなく、適宜変更可能である。
【００２７】
図８は、光源装置５０の別の構成例を示す図である。例えば、図８に示すように、Ｙ方向の一端側及び他端側の各々でＸ方向に沿って一列に並ぶ計１８の光源５１が配置されていてもよい。このように、表示装置１は、導光板ＬＡを挟んで対向する位置に設けられた複数の光源５１を有していてもよい。
【００２８】
図９は、調光パネル８０が有する調光領域ＬＤとＹ方向の座標との関係の一例を示す図である。調光パネル８０は、個別に光の透過率を制御可能な複数の調光領域ＬＤを有する。ローカルディミング領域ＤＡは、複数の調光領域ＬＤを含む領域である。調光パネル８０は、導光板ＬＡに導かれて表示領域ＯＡ全体を背面側から照明する光の透過率を複数の調光領域ＬＤの各々で個別に制御可能に設けられている。このように、実施形態１の調光領域ＬＤは、光源５１から導光板ＬＡへの光の照射方向（例えば、Ｙ方向）と交差する方向（例えば、Ｘ方向）に延出する。図９に示す例では、Ｙ方向に並ぶ４つの調光領域ＬＤが設けられている。４つの調光領域ＬＤの各々の位置は、Ｙ方向の座標（ｙ１，ｙ２，ｙ３，ｙ４）に対応する。図９に示す複数の調光領域ＬＤの数はあくまで一例であってこれに限られるものでなく、適宜変更可能である。
【００２９】
このように、Ｘ方向に並ぶ表示分割領域ＰＡはそれぞれ、対応するＸ方向の座標の光源領域ＧＡからの光で照らされる。また、Ｙ方向に並ぶ表示分割領域ＰＡはそれぞれ、対応するＹ方向の座標の調光領域ＬＤによって、光源領域ＧＡからの光の照射の度合いを調光可能に設けられている。
【００３０】
図１０は、調光部７０の主要構成の一例を示す図である。調光パネル８０は、ローカルディミング領域ＤＡに設けられた複数の第１電極８１を有する。図１０に示す調光パネル８０は、例えば、Ｘ方向に沿って設定されたｘ１，ｘ２，…，ｘ９の座標とＹ方向に沿って設定されたｙ１，ｙ２，ｙ３，ｙ４の座標の組み合わせに対応した計３６の座標の各々に対応する位置に個別に設けられた第１電極８１を有する。複数の第１電極８１の各々は、配線８６を介して回路部９０と接続されている。
【００３１】
実施形態１の回路部９０は、例えば、ローカルディミング信号ＤＩに応じて第１電極８１の電位をＹ方向の座標単位で一律にするよう制御する。これによって、調光領域ＬＤは、長手方向（Ｘ方向）の透過率が一律になる。また、回路部９０は、Ｙ方向の座標が異なる第１電極８１の電位を個別に制御する。これによって、複数の調光領域ＬＤは、それぞれ個別に透過率を制御される。
【００３２】
図１１は、調光部の主要構成の別の一例を示す図である。図１０では、Ｘ方向の座標の各々に対応する位置に第１電極８１が設けられているが、これは第１電極８１の具体的な設け方の一例であってこれに限られるものでない。例えば、図１１に示すように、１つの調光領域ＬＤに１つの第１電極８１Ａが設けられていてもよい。この場合、１つの調光領域ＬＤに設けられた１つの第１電極８１ＡのＸ方向の長さは、調光領域ＬＤのＸ方向の長さに対応する。
【００３３】
図１２は、調光パネル８０の概略断面構造の一例を示す断面図である。調光部７０は、例えばＴＦＴにより構成されたスイッチＳＷを有する。スイッチＳＷは、第１基板８０ａの第１透明基板８３に実装されたチャネル８４、ソース８５ａ、ドレイン８５ｂ及びゲート８５ｃを有する。ソース８５ａには、ローカルディミング信号ＤＩに基づいた電位、すなわち、複数の調光領域ＬＤの各々の透過率に対応した電位が与えられる。ドレイン８５ｂは、配線８６と電気的に接続されている。スイッチＳＷは、ゲート８５ｃに対する信号の有無に応じて、ドレイン電流を第１電極８１に流すか否かを切り替える。なお、図１２では、模式的に１つのスイッチＳＷと１つの第１電極８１との電気的な接続関係を例示しているが、全ての第１電極８１が個別の配線８６を介して個別のスイッチＳＷのドレイン８５ｂと接続されるようにしてもよい。
【００３４】
複数の調光領域ＬＤの各々は、第１電極８１と、液晶層ＬＣ２を挟んで第１電極８１と対向する位置に設けられる第２電極８２とを有する。具体的には、第１基板８０ａは、第１透明基板８３、半導体層８４、第１絶縁層８７ａ、第１絶縁層８７ａに積層されたゲート８５ｃに積層された第２絶縁層８７ｂ、ソース電極８５ａ及びドレイン電極８５ｂに積層された第３絶縁層８７ｃ及び第３絶縁層８７ｃに積層された第１電極８１を有する。また、第２基板８０ｂは、第２透明基板８８及び第２基板８０ｂに積層された第２電極８２を有する。第１基板８０ａと第２基板８０ｂは、第１電極８１が設けられた面と第２電極８２が設けられた面とを対向させるように配置されている。第１電極８１が設けられた面と第２電極８２が設けられた面の間には、液晶層ＬＣ２が設けられている。また、第１基板８０ａと第２基板８０ｂとの間には、液晶層ＬＣ２を封止するためのシール材８９が設けられている。第１透明基板８３及び第２透明基板８８は、例えばガラス基板である。第１電極８１及び第２電極８２並びに配線８６は、例えば酸化インジウムスズ（ＩＴＯ：Indium  Tin  Oxide）等を用いた透光性を有する電極である。
【００３５】
実施形態１の第２電極８２は、複数の調光領域ＬＤで共有される構造を有する。具体的には、第２電極８２は、複数の調光領域ＬＤを横断してローカルディミング領域ＤＡ全体をカバーするよう設けられた平膜状の電極である。複数の調光領域ＬＤで共有される第２電極８２の電位に対して複数の調光領域ＬＤの各々の第１電極８１の電位が個別に制御されることで、複数の調光領域ＬＤの各々における液晶のねじれ具合が個別に制御される。これによって、複数の調光領域ＬＤの各々における光の透過率が、ローカルディミング信号ＤＩに応じて個別に制御される。
【００３６】
実施形態１の調光パネル８０は、ねじれネマティック（ＴＮ：Twisted  Nematic）方式の液晶パネルであり、非通電時に光を最高の透過率で透過させる（ノーマリーホワイト）。これは調光パネル８０の具体的形態の一例であってこれに限られるものでない。調光パネル８０は、他の方式の液晶パネルでもよく、ノーマリーブラックであってもよい。また、上述した第２電極８２の形態は、あくまで第２電極８２の具体的形態の一例であってこれに限られるものでなく、適宜変更可能である。例えば、第２電極８２は、第１電極８１と同様に複数の調光領域ＬＤの各々に個別に設けられてもよい。この場合、個別に設けられた第２電極８２の各々の電位は同一タイミングにおいて同一の電位となるよう制御される。
【００３７】
複数の調光領域ＬＤの各々の透過率の制御に係る電気信号が取り扱われる回路部９０は、例えば調光部７０のうち、ローカルディミング領域ＤＡが位置しない調光パネル８０の額縁領域にチップオングラス（ＣＯＧ：Chip  On  Glass）等の方法で実装され、配線８６を介して複数の第１電極８１の各々と接続されている。このように、複数の調光領域ＬＤの各々の透過率を個別に制御するための回路をローカルディミング領域ＤＡの外側に設けることで、ローカルディミング領域ＤＡにおける光の最高透過率をより高めやすくなる。
【００３８】
図１３は、光源からの光による輝度分布（光源輝度分布）の一例を示す図である。図１４は、図１３に示す光源輝度分布が得られる条件下で画像を出力する画像表示パネル３０の透過率の一例を示す図である。図１５は、図１３に示す光源輝度分布が得られる条件下で図１４に示す画像表示パネル３０の透過率となるよう画像表示パネル３０を動作させた場合における表示装置１の出力輝度を示す図である。例えば、図１５に示すように、Ｙ方向の座標で最も光源５１に近い（ｙ１）の表示分割領域ＰＡの一部分で１つ以上の色が１００［％］の階調値に対応する出力輝度となる場合を想定する。なお、この場合は、当該一部分を除いて、黒（（Ｒ，Ｇ，Ｂ）＝（０，０，０））である画像を表示する場合であるものとする。この場合、（ｙ１）の表示分割領域ＰＡで１００［％］以上の輝度が必要になる。なお、（ｙ２），（ｙ３），（ｙ４）の表示分割領域ＰＡでは、入力信号ＩＰに含まれる画素４８の階調値が全て（Ｒ，Ｇ，Ｂ）＝（０，０，０）であり、光源５１からの光が不要である。この場合、図１３に示すように、（ｙ１）の表示分割領域ＰＡと（ｙ２）の表示分割領域ＰＡとの境界で１００［％］の輝度が確保されていれば、（ｙ１）の表示分割領域ＰＡの出力輝度を十分に確保することができる。点灯時の光源５１は、より近い位置をより明るく照らすため、（ｙ１）の表示分割領域ＰＡの出力輝度は、（ｙ１）の表示分割領域ＰＡと（ｙ２）の表示分割領域ＰＡとの境界の輝度より高くなる。
【００３９】
図１３では、（ｙ１）の表示分割領域ＰＡ全体において１００［％］の輝度を確保するために、例えば１２０［％］の強度で光源５１を点灯している。また、図１３では、光の輝度が、（ｙ１），ｙ２，ｙ３，ｙ４のように離れた座標の位置になるほど低くなることを示している。図１３では、光源５１から最も遠い（ｙ４）の表示分割領域ＰＡの他端側で輝度が６０［％］になる例を示している。このように光源５１からの距離に応じて光の輝度が変化することを考慮し、輝度の逆数（後述する輝度逆数ｇａｉｎｐｉｘ（ｈ，ｖ））に基づいて、画像表示パネル３０の透過率にゲインを乗算する。具体的には、画像表示パネル３０の各画素の出力階調値にゲインが乗算される。図１４において一端側から他端側に向かうほど画像表示パネル３０の透過率が上がるようゲインがかけられているのは、図１３において一端側から他端側に向かうほど低下する輝度に応じたものである。光源５１からの光の輝度（図１３参照）と、ゲインがかけられた透過率（図１４参照）との組み合わせによって、図１５に示すように（ｙ１）の表示分割領域ＰＡにおいて出力輝度を１００［％］にすることができる。
【００４０】
画像表示パネル３０は、例えば図１４に示すように、最高透過率（ＤＰ＿ｍａｘ）を上限とし、最低透過率（ＤＰ＿ｍｉｎ）を下限とする範囲内で透過率を変更可能に設けられている。（Ｒ，Ｇ，Ｂ）の各々の階調値が所定のビット数（例えば、８ビット：０〜２５５）で表される場合、当該ビット数における最高（２５５）の階調値に対応する透過率が最高透過率（ＤＰ＿ｍａｘ）である。また、当該ビット数における最低（０）の階調値に対応する透過率が最低透過率（ＤＰ＿ｍｉｎ）である。以下、画像表示パネル３０の最高透過率（ＤＰ＿ｍａｘ）と最低透過率（ＤＰ＿ｍｉｎ）の比に関する値を「第１コントラスト（ＤＰ＿ｃ：図２１参照）」とする。第１コントラストは、「画像表示パネル３０のコントラスト」を表す、例えば、ＤＰ＿ｃ＝ＤＰ＿ｍａｘ／ＤＰ＿ｍｉｎである。ＤＰ＿ｃ＝１０００とすると、画像表示パネル３０の最低透過率（ＤＰ＿ｍｉｎ）は、最高透過率（ＤＰ＿ｍａｘ）の１／１０００である。言い換えれば、最低透過率（ＤＰ＿ｍｉｎ）であっても、画像表示パネル３０の光の透過率は０でない。
【００４１】
図１６は、調光パネル８０によるコントラストの制御を考慮しない場合における図１５の範囲Ａを拡大した模式図である。上記のように、最低透過率（ＤＰ＿ｍｉｎ）であっても、画像表示パネル３０の光の透過率は０でない。このため、調光パネル８０がない場合、（Ｒ，Ｇ，Ｂ）＝０に対応する最低透過率（ＤＰ＿ｍｉｎ）となるよう制御された画素４８であっても、完全に光がない状態（図１６のグラフにおける０［％］）と最低透過率（ＤＰ＿ｍｉｎ）の出力輝度とのギャップに対応した黒浮きＵが生じる。具体例を挙げると、第１コントラストが１０００である画像表示パネル３０の黒浮きＵによる出力輝度は、約０．１［％］である。
【００４２】
図１７は、光源５１から光が届く範囲の一例を示す模式図である。図１７等では、隣接する調光領域同士の境界線ＬＤＬを示している。図１３を参照して説明したように、光源５１からの光の輝度は、光源５１から遠ざかるほど低下する。このため、黒浮きＵの度合いも、図１６のグラフ及び図１７の模式図で示すように、光源５１からの距離に応じて変化する。このような黒浮きＵは、所謂ハロー（Ｈａｌｏ：後光）効果として知られる。
【００４３】
図１８は、調光パネル８０の透過率の一例を示す図である。調光パネル８０は、最高透過率（ＢＬ＿ｍａｘ）を上限とし、最低透過率（ＢＬ＿ｍｉｎ）を下限とする範囲内で透過率を変更可能に設けられている。以下、調光パネル８０の最高透過率（ＢＬ＿ｍａｘ）と最低透過率（ＢＬ＿ｍｉｎ）の比に関する値を「第２コントラスト（ＢＬ＿ｃ：図２１参照）」とする。第２コントラストは、「調光パネル８０のコントラスト」を表す。例えば、ＢＬ＿ｃ＝ＢＬ＿ｍａｘ／ＢＬ＿ｍｉｎである。ＢＬ＿ｃ＝５００とすると、調光パネル８０の最低透過率（ＢＬ＿ｍｉｎ）は、最高透過率（ＢＬ＿ｍａｘ）の１／５００である。
【００４４】
図１９は、図１８に示す透過率の調光パネル８０を図１３に示す光源輝度分布の光源装置と図１４に示す透過率の画像表示パネル３０との間に介在させた場合の出力輝度の拡大模式図である。図１５に示すような出力輝度を得たい場合、（ｙ２），（ｙ３），（ｙ４）の表示分割領域ＰＡでは光が不要である。このため、図１８に示すように、（ｙ２），（ｙ３），（ｙ４）の調光領域ＬＤを最低透過率（ＢＬ＿ｍｉｎ）とするよう調光パネル８０を動作させることで、（ｙ２），（ｙ３），（ｙ４）における出力輝度をより低くすることができる。具体的には、図１９に示すように、（ｙ２），（ｙ３），（ｙ４）の表示分割領域ＰＡの出力輝度を、画像表示パネル３０の最低透過率（ＤＰ＿ｍｉｎ）と調光パネル８０の最低透過率（ＢＬ＿ｍｉｎ）との積に対応する出力輝度まで低下させることができる。例えば、第２コントラストが５００である調光パネル８０を最低透過率（ＢＬ＿ｍｉｎ）にすることで光の低下率を約０．２［％］まで低下させることができるものとする。この場合、第１コントラストが１０００である画像表示パネル３０と第２コントラストが５００である調光パネル８０との組み合わせによって、（ｙ２），（ｙ３），（ｙ４）の表示分割領域ＰＡの出力輝度を０．０００２［％］にすることができる。このように、調光パネル８０を用いることで、図１６に示すような黒浮きＵを抑制することができる。
【００４５】
一方、（ｙ１）では１００［％］の出力輝度が必要であるため、（ｙ１）の調光領域ＬＤは最高透過率（ＢＬ＿ｍａｘ）とされる。このため、図１９に示すように、（ｙ１）の表示分割領域ＰＡのうち、出力輝度が１００［％］とされる領域以外の領域では、（ｙ２），（ｙ３），（ｙ４）の表示分割領域ＰＡと異なり、調光パネル８０による黒浮きＵの抑制がない。これによって、（ｙ１）の表示分割領域ＰＡと（ｙ２）の表示分割領域ＰＡとの境界に、出力輝度の急変ラインＳＴ１が生じる。
【００４６】
図２０は、出力輝度の急変ラインＳＴ１の例を示す模式図である。出力輝度の急変ラインＳＴ１が生じると、図２０に示すように、隣接する調光領域ＬＤ同士の境界線ＬＤＬを境として、調光パネル８０による黒浮きＵの抑制がある範囲と黒浮きＵの抑制がない範囲との輝度差がＸ方向に沿う帯状の後光のように視認されることがある。
【００４７】
そこで、実施形態１の信号処理部１０は、隣接する２つの調光領域ＬＤの各々の光の透過率が異なる場合、該２つの調光領域ＬＤの境界付近（例えば、境界から所定画素数（ｘ＿ｐｉｘ）の範囲）において、光の透過率が低い調光領域に位置する画素の出力階調値を高くする制御部として機能する。これによって、出力輝度の急変ラインＳＴ１の発生を抑制することができる。
【００４８】
図２１は、実施形態１において、図１３に示す光源輝度分布及び図１８に示す調光パネル８０の透過率の条件下で画像表示パネル３０に出力される画像データの一例を示す図である。信号処理部１０は、例えば図２１に示すように、（ｙ２）の表示分割領域ＰＡのうち、（ｙ１）の表示分割領域ＰＡと（ｙ２）の表示分割領域ＰＡの境界に最も近い位置（位置Ｐ１）の画素４８を一端とし、一端側から他端側に向かって所定画素数（ｘ＿ｐｉｘ）の範囲内に位置する画素４８を対象画素とする。所定画素数（ｘ＿ｐｉｘ）は、１つの表示分割領域ＰＡが有するＹ方向の画素数以下の数である。図２１に示す例では、（ｙ２）の表示分割領域ＰＡのＹ方向の幅、すなわち、１つの表示分割領域ＰＡが有するＹ方向の画素数と、所定画素数（ｘ＿ｐｉｘ）とが一致しているが、これは一例であってこれに限られるものでない。
【００４９】
信号処理部１０は、２つの調光領域ＬＤの境界により近い対象画素の出力階調値をより高くする。具体的には、信号処理部１０（図２３参照）は、対象画素のうち、位置Ｐ１にある画素４８の階調値を、第１コントラストと第２コントラストの比（ｋ）に対応した値にする。具体的には、例えばｋ＝ＢＬ＿ｃ／ＤＰ＿ｃである。例えば、ＢＬ＿ｃ＝５００，ＤＰ＿ｃ＝１０００である場合、ｋ＝０．５（＝５０［％］）である。この場合、信号処理部１０は、位置Ｐ１の画素４８の階調値を、画像表示パネル３０の透過率が５０［％］になる階調値まで高くする。具体例を挙げると、（ｙ２）の表示分割領域ＰＡの表示出力内容は全ての画素４８で黒であるため、高くする前の階調値は（Ｒ，Ｇ，Ｂ）＝（０，０，０）である。信号処理部１０は、位置Ｐ１の画素４８の階調値を、５０［％］のグレーに対応する階調値まで高くする。階調値が８ビットの場合、５０［％］のグレーは、（Ｒ，Ｇ，Ｂ）＝（１２７，１２７，１２７）である。また、信号処理部１０は、位置Ｐ１の画素４８以外の対象画素の各々の階調値を（Ｒ，Ｇ，Ｂ）＝（０，０，０）よりも高くするよう補正する。具体的には、信号処理部１０は、対象画素の補正後の階調値が、一端側から他端側に向かって漸減するように補正度合いを決定する。図２１では、直線Ｌ１で示すように、対象画素の補正後の階調値が一端側から他端側に向かって一次直線的に漸減しているが、これは対象画素のＹ方向の位置と階調値の補正度合いの関係の一例であってこれに限られるものでない。対象画素のＹ方向の位置と階調値の補正度合いの関係は、例えば二次以上の曲線状であってもよい。
【００５０】
図２２は、図１８に示す透過率の調光パネル８０を図１３に示す光源輝度分布の光源装置と図２１に示す透過率の画像表示パネル３０との間に介在させた場合の出力輝度の拡大模式図である。信号処理部１０が対象画素の階調値を高くすることで、図２２に示すように、（ｙ２）の表示分割領域ＰＡにおける出力輝度が一端側から他端側に向かって漸減するようになる。これによって、図１９及び図２０を参照して説明したような出力輝度の急変ラインＳＴ１の発生を抑制することができる。このため、隣接する２つの調光領域ＬＤの透過率の差による輝度差をより視認しにくくすることができる。従って、帯状の後光の発生を抑制することができ、画質の向上及び黒浮きＵの抑制によるコントラスト感の向上を実現することができる。
【００５１】
図２２では、（ｙ２）の表示分割領域ＰＡにおける出力輝度の漸減を直線Ｌ２で例示しているが、直線Ｌ２はあくまで図２１に示す直線Ｌ１に対応する出力輝度の漸減を示すものでこれに限定されるものではない。対象画素の階調値の補正による出力輝度の漸減パターンは、対象画素のＹ方向の位置と階調値の補正度合いの関係に対応したパターンになる。
【００５２】
図２３は、信号処理部１０の機能構成の一例を示すブロック図である。実施形態１の信号処理部１０は、例えばＦＰＧＡ（Field-Programmable  Gate  Array）のような集積回路である。信号処理部１０は、例えば図２３に示すように、必要輝度情報取得部１０１、調光階調算出部１０２、画像補正係数生成部１０３、点灯量算出部１０４、輝度分布生成部１０５、輝度逆数生成部１０６、画像処理部１０７等を有する。
【００５３】
必要輝度情報取得部１０１は、入力信号ＩＰに対応する表示出力を行うために各表示分割領域ＰＡで必要な光源５１の輝度を取得する。具体的には、必要輝度情報取得部１０１は、各表示分割領域ＰＡで最高の階調値が設定されている副画素４９の階調値を特定する。より具体的には、必要輝度情報取得部１０１は、入力信号ＩＰが示す各副画素４９の階調値を表示分割領域ＰＡ毎に区分する。必要輝度情報取得部１０１は、１つの表示分割領域ＰＡに含まれる副画素４９の階調値のうち、最高の階調値が設定されている副画素４９の階調値を特定する。必要輝度情報取得部１０１は、各表示分割領域ＰＡで最高の階調値が設定されている副画素４９の階調値に対応する出力輝度を得るために必要な光源５１の輝度を特定する。例えば、副画素４９の階調値が８ビット（０から２５５）である場合、２５５の階調値に対応する出力輝度を得るために必要な光源５１の輝度は、１００［％］である。一方、０の階調値に対応する出力輝度を得るために必要な光源５１の輝度は、０［％］である。必要輝度情報取得部１０１は、このように光源５１の輝度を特定する処理を、表示分割領域ＰＡ毎に行う。必要輝度情報取得部１０１は、特定された各表示分割領域ＰＡの光源５１の輝度を示す情報を必要輝度情報として取得する。また、必要輝度は光源５１からの距離に応じた光の強度の減衰を考慮して算出される。
【００５４】
調光階調算出部１０２は、各調光領域ＬＤの階調値を算出する。具体的には、調光階調算出部１０２は、Ｙ方向の座標単位（例えば、（ｙ１），（ｙ２），（ｙ３），（ｙ４））で各表示分割領域ＰＡを区分する。調光階調算出部１０２は、必要輝度情報取得部１０１によって取得された必要輝度情報を参照し、（ｙ１）の調光領域ＬＤの透過率を算出する。実施形態１の調光階調算出部１０２は、例えば、Ｙ方向の座標が（ｙ１）である全ての表示分割領域ＰＡの必要輝度が０［％］の場合、（ｙ１）の調光領域ＬＤの透過率を最低透過率（ＢＬ＿ｍｉｎ）として算出し、そうでない場合、（ｙ１）の調光領域ＬＤの透過率を最高透過率（ＢＬ＿ｍａｘ）として算出する。調光階調算出部１０２は、透過率が最低透過率（ＢＬ＿ｍｉｎ）である調光領域ＬＤの階調値（例えば、０）と、透過率が最高透過率（ＢＬ＿ｍａｘ）である調光領域ＬＤの階調値（例えば、１）とを区別可能に、階調値を算出する。調光階調算出部１０２は、（ｙ２），（ｙ３），（ｙ４）の調光領域ＬＤについても、（ｙ１）の調光領域ＬＤと同様に透過率及び階調値を算出する。調光階調算出部１０２は、算出された各調光領域ＬＤの階調値を示す情報を含む信号を、ローカルディミング信号ＤＩとして出力する。
【００５５】
実施形態１では、透過率が最低透過率（ＢＬ＿ｍｉｎ）である調光領域ＬＤの階調値（例えば、０）に応じて、調光領域ＬＤは、最低透過率（ＢＬ＿ｍｉｎ）となるよう制御される。また、透過率が最高透過率（ＢＬ＿ｍａｘ）である調光領域ＬＤの階調値（例えば、１）に応じて、調光領域ＬＤは、最高透過率（ＢＬ＿ｍａｘ）となるよう制御される。
【００５６】
画像補正係数生成部１０３は、対象画素の出力階調値を高くするための補正に用いられる画像補正係数（ｋｐｉｘ（ｖ））を算出する。具体的には、画像補正係数生成部１０３は、例えば調光階調算出部１０２によって算出された複数の調光領域ＬＤの各々の階調値のうち、隣接する２つの調光領域ＬＤの階調値が異なる場合、透過率が低い方に対応する階調値が算出されている調光領域ＬＤに対象画素を設定する。画像補正係数生成部１０３は、図２１を参照して説明した仕組みで、対象画素の各々の出力階調値を補正するための補正値を算出する。また、画像補正係数生成部１０３は、対象画素以外の補正値を０として算出する。画像補正係数生成部１０３は、算出された補正値を、Ｙ方向の一端側から他端側（又は、他端側から一端側）に並ぶ画素４８の配置と対応させた関数（例えば、一次関数）の形式としたデータを画像補正係数（ｋｐｉｘ（ｖ））として算出する。実施形態１では、画像補正係数（ｋｐｉｘ（ｖ））を順次読み出すことで、Ｙ方向の一端側から他端側に並ぶ画素４８の補正値を得られるようになっている。このように、画像補正係数（ｋｐｉｘ（ｖ））は、階調値を高くする補正値が設定された対象画素の位置と補正値とを対応付ける情報を含む。また、画像補正係数（ｋｐｉｘ（ｖ））は、対象画素でない画素４８の補正値を０にしていることで、補正により階調値が高くなる画素４８を対象画素に限定することができる。
【００５７】
点灯量算出部１０４は、必要輝度情報に基づいて複数の光源５１の各々の点灯量を算出する。具体的には、点灯量算出部１０４は、図１３及び図１４を参照して説明したように、各表示分割領域ＰＡの他端側で各表示分割領域ＰＡの必要輝度が十分に得られるよう、複数の光源５１の各々の点灯量を算出する。光源５１の点灯量と各表示分割領域ＰＡの他端側の輝度との関係を示す情報は、例えば参照データに含まれていてもよいし、参照データと別個に用意されたデータであって点灯量算出部１０４が有するデータに含まれていてもよい。点灯量算出部１０４は、算出された複数の光源５１の各々の点灯量を示す情報を含む信号を、光源駆動信号ＢＬとして出力する。
【００５８】
輝度分布生成部１０５は、点灯量算出部１０４によって算出された複数の光源５１の点灯量で得られる輝度分布を示す情報を生成する。具体的には、輝度分布生成部１０５は、点灯量算出部１０４によって算出された複数の光源５１の各々の点灯量に基づいて、Ｘ方向に並ぶ画素４８の各々の位置におけるＹ方向の輝度分布を示す情報を生成する。より具体的には、輝度分布生成部１０５は、例えば複数の光源５１からの光の影響を考慮して予め測定された複数の光源５１の点灯量と輝度分布との関係を示すデータを有する。輝度分布生成部１０５は、当該データを参照して、Ｘ方向に並ぶ画素４８の各々の位置（ｈ）におけるＹ方向（ｖ）の輝度分布を示す情報を生成する。すなわち、輝度分布生成部１０５により生成された輝度分布を示す情報から、（ｈ，ｖ）の画素４８の位置における光源装置５０からの光の輝度を特定することができる。
【００５９】
輝度逆数生成部１０６は、輝度分布生成部１０５によって生成された輝度分布に基づいて、（ｈ，ｖ）の画素４８の位置に対応する輝度の逆数（輝度逆数ｇａｉｎｐｉｘ（ｈ，ｖ））を生成する。具体的には、輝度逆数生成部１０６は、例えば輝度分布生成部１０５によって生成されたパーセント（［％］）の輝度分布を少数に直す処理（１００で除算する処理）を経て得られた値の逆数を、（ｈ，ｖ）の画素４８の位置に対応する輝度逆数ｇａｉｎｐｉｘ（ｈ，ｖ）とする。例えば、輝度分布を示す情報において１２０［％］の輝度が対応付けられている画素４８の場合、輝度逆数ｇａｉｎｐｉｘ（ｈ，ｖ）は約０．８３になる。また、輝度分布を示す情報において６０［％］の輝度が対応付けられている画素４８の場合、輝度逆数ｇａｉｎｐｉｘ（ｈ，ｖ）は約１．６７になる。
【００６０】
画像処理部１０７は、入力信号ＩＰに含まれる各画素４８の階調値、輝度逆数生成部１０６によって生成された輝度逆数ｇａｉｎｐｉｘ（ｈ，ｖ）及び画像補正係数生成部１０３によって算出された画像補正係数（ｋｐｉｘ（ｖ））に基づいて、出力画像信号ＯＰとして機能する各画素４８の出力階調値を算出する。具体的には、画像処理部１０７は、入力信号ＩＰに含まれる各画素４８の階調値にゲインをかける。より具体的には、（ｈ，ｖ）の画素４８の階調値に含まれるＲ，Ｇ，Ｂの各々の階調値に輝度逆数ｇａｉｎｐｉｘ（ｈ，ｖ）を乗じる。これによって、Ｒ，Ｇ，Ｂの各々の階調値にゲインがかかる。ただし、黒の階調値（Ｒ，Ｇ，Ｂ）＝（０，０，０）にはゲインがかからない。画像処理部１０７は、黒の階調値（Ｒ，Ｇ，Ｂ）＝（０，０，０）にゲインをかけないようにしてもよい。また、画像処理部１０７は、入力信号ＩＰに含まれる各画素４８の階調値のうち、黒の階調値に対して画像補正係数（ｋｐｉｘ（ｖ））を加算する。より具体的には、（Ｒ，Ｇ，Ｂ）＝（０，０，０）である（ｖ）の画素４８の階調値に含まれるＲ，Ｇ，Ｂの各々の階調値に対して、画像補正係数（ｋｐｉｘ（ｖ））を加算する。これによって、（Ｒ，Ｇ，Ｂ）＝（０，０，０）である（ｖ）の画素４８のうち、対象画素の階調値を高くすることができる。画像処理部１０７は、出力画像信号ＯＰを出力する。
【００６１】
図２４は、信号処理部１０による処理の流れを示すフローチャートである。信号処理部１０は、必要輝度情報の取得（ステップＳ１）、調光領域ＬＤの透過率算出（ステップＳ２）、画像補正係数の生成（ステップＳ３）、点灯量の算出（ステップＳ４）、輝度逆数の生成（ステップＳ５）、出力階調値の算出（ステップＳ６）を行う。ステップＳ１からステップＳ６の処理のうち、ステップＳ２からステップＳ３の処理と、ステップＳ４からステップＳ５の処理とは、ステップＳ１の処理後に並行実施されてもよい。ステップＳ３及びステップＳ５の処理後、ステップＳ６の処理が行われる。
【００６２】
図２５は、図２４に示すフローチャートのステップＳ１からステップＳ５の処理内容の一例を模式的に示す図である。必要輝度情報の取得（ステップＳ１）では、必要輝度情報取得部１０１が、各表示分割領域ＰＡで必要な光源５１の輝度を取得する。図２５では、ステップＳ１において、（ｘ１，ｙ１），（ｘ１，ｙ３），（ｘ３，ｙ１），（ｘ３，ｙ３）の表示分割領域ＰＡの必要輝度がそれぞれ、４０［％］，１０［％］，１００［％］，２０［％］であり、それ以外の表示分割領域ＰＡの必要輝度が０［％］である場合を例示している。
【００６３】
調光領域ＬＤの透過率算出（ステップＳ２）では、調光階調算出部１０２が、各調光領域ＬＤの透過率及び透過率に応じた階調値を算出する。図２５では、ステップＳ２において、（ｙ１），（ｙ３）の調光領域ＬＤの透過率が最高透過率（ＢＬ＿ｍａｘ）（図２５では、１００［％］表記）であり、（ｙ２），（ｙ４）の調光領域ＬＤの透過率が最低透過率（ＢＬ＿ｍｉｎ）（図２５では、０［％］表記）である場合を例示している。
【００６４】
画像補正係数の生成（ステップＳ３）では、画像補正係数生成部１０３が、画像補正係数（ｋｐｉｘ（ｖ））を算出する。図２５では、ステップＳ３において、（ｙ２），（ｙ４）の表示分割領域ＰＡに対象画素を設定し、対象画素の階調値が（Ｒ，Ｇ，Ｂ）＝（０，０，０）である場合に階調値を高くするための補正値を算出している例を示している。より具体的には、図２５では、（ｙ２）の表示分割領域ＰＡに含まれる画素４８のうち、（ｙ１）の表示分割領域ＰＡと（ｙ２）の表示分割領域ＰＡとの境界に最も近い位置の画素４８を一端とし、一端側から他端側に向かって所定画素数（ｘ＿ｐｉｘ）の範囲内に位置する画素４８を対象画素としている。また、（ｙ２）の表示分割領域ＰＡに含まれる画素４８のうち、（ｙ２）の表示分割領域ＰＡと（ｙ３）の表示分割領域ＰＡとの境界に最も近い位置の画素４８を他端とし、他端側から一端側に向かって所定画素数（ｘ＿ｐｉｘ）の範囲内に位置する画素４８を対象画素としている。このように、１つの表示分割領域ＰＡにおいて一端側及び他端側から所定画素数（ｘ＿ｐｉｘ）の範囲内に位置する画素４８を対象画素とする場合を考慮して所定画素数（ｘ＿ｐｉｘ）を定めるようにしてもよい。例えば、所定画素数（ｘ＿ｐｉｘ）は、１つの表示分割領域ＰＡが有するＹ方向の画素数の１／２以下の数であってもよい。また、図２５では、（ｙ４）の表示分割領域ＰＡに含まれる画素４８のうち、（ｙ３）の表示分割領域ＰＡと（ｙ４）の表示分割領域ＰＡとの境界に最も近い位置の画素４８を一端とし、一端側から他端側に向かって所定画素数（ｘ＿ｐｉｘ）の範囲内に位置する画素４８を対象画素としている。
【００６５】
点灯量の算出（ステップＳ４）では、点灯量算出部１０４が、複数の光源５１の各々の点灯量を算出する。図２５では、ステップＳ４において、（ｘ１），（ｘ３）の光源５１が、（ｙ１）の表示分割領域ＰＡの一端側の輝度をそれぞれ４２［％］，１２０［％］にすることができる点灯量で点灯するよう点灯量を算出した場合を例示している。
【００６６】
輝度逆数の生成（ステップＳ５）では、輝度分布生成部１０５が、点灯量算出部１０４によって算出された複数の光源５１の点灯量で得られる輝度分布を示す情報を生成する。その後、輝度逆数生成部１０６が、輝度分布生成部１０５によって生成された輝度分布に基づいて、（ｈ，ｖ）の画素４８の位置に対応する輝度逆数ｇａｉｎｐｉｘ（ｈ，ｖ）を生成する。図２５では、ステップＳ５において、（ｘ３）の光源５１に対応する輝度分布及び輝度逆数ｇａｉｎｐｉｘ（ｈ，ｖ）を例示している。
【００６７】
図２６は、図２４における出力階調値の算出処理の流れを示すフローチャートである。出力階調値の算出（ステップＳ６）では、画像処理部１０７が、出力画像信号ＯＰとして機能する各画素４８の出力階調値を算出する。具体的には、画像処理部１０７は、入力信号ＩＰに含まれる１つの画素４８の階調値が（Ｒ，Ｇ，Ｂ）＝（０，０，０）であるか否か判定する（ステップＳ６１）。より具体的には、画像処理部１０７は、例えばステップＳ６１で図示しているように、１つの画素４８が有する副画素４９毎に階調値が０であるか否かをチェックする。すなわち、画像処理部１０７は、入力信号ＩＰに含まれる１つの第１副画素４９Ｒの階調値（Ｒｉｎ（ｈ，ｖ））、１つの第２副画素４９Ｇの階調値（Ｇｉｎ（ｈ，ｖ））及び１つの第３副画素４９Ｂの階調値（Ｂｉｎ（ｈ，ｖ））について個別に０であるか否かチェックする。
【００６８】
入力信号ＩＰに含まれる１つの対象画素の階調値が（Ｒ，Ｇ，Ｂ）＝（０，０，０）である場合（ステップＳ６１：Ｙｅｓ）、画像処理部１０７は、対象画素と判定された１つの画素４８が有する副画素４９の各々の階調値に画像補正係数（ｋｐｉｘ（ｖ））を加算する（ステップＳ６２）。具体的には、画像処理部１０７は、入力信号ＩＰに含まれる１つの第１副画素４９Ｒの階調値（Ｒｉｎ（ｈ，ｖ））、１つの第２副画素４９Ｇの階調値（Ｇｉｎ（ｈ，ｖ））及び１つの第３副画素４９Ｂの階調値（Ｂｉｎ（ｈ，ｖ））の各々に画像補正係数（ｋｐｉｘ（ｖ））を加算する。これによって、画像処理部１０７は、出力画像信号ＯＰとして機能する１つの第１副画素４９Ｒの階調値（Ｒｏｕｔ（ｈ，ｖ））、１つの第２副画素４９Ｇの階調値（Ｇｏｕｔ（ｈ，ｖ））及び１つの第３副画素４９Ｂの階調値（Ｂｏｕｔ（ｈ，ｖ））を算出する。
【００６９】
一方、入力信号ＩＰに含まれる１つの画素４８の階調値が（Ｒ，Ｇ，Ｂ）＝（０，０，０）でない場合（ステップＳ６１：Ｎｏ）、画像処理部１０７は、判定された１つの画素４８が有する副画素４９の各々の階調値に輝度逆数ｇａｉｎｐｉｘ（ｈ，ｖ）を乗算する（ステップＳ６３）。具体的には、画像処理部１０７は、入力信号ＩＰに含まれる１つの第１副画素４９Ｒの階調値（Ｒｉｎ（ｈ，ｖ））、１つの第２副画素４９Ｇの階調値（Ｇｉｎ（ｈ，ｖ））及び１つの第３副画素４９Ｂの階調値（Ｂｉｎ（ｈ，ｖ））の各々に輝度逆数ｇａｉｎｐｉｘ（ｈ，ｖ）を乗算する。これによって、画像処理部１０７は、出力画像信号ＯＰとして機能する１つの第１副画素４９Ｒの階調値（Ｒｏｕｔ（ｈ，ｖ））、１つの第２副画素４９Ｇの階調値（Ｇｏｕｔ（ｈ，ｖ））及び１つの第３副画素４９Ｂの階調値（Ｂｏｕｔ（ｈ，ｖ））を算出する。
【００７０】
以上説明したように、実施形態１によれば、隣接する２つの調光領域ＬＤの各々の光の透過率が異なる場合、光の透過率が低い調光領域ＬＤに位置する画素のうち該２つの調光領域ＬＤの境界付近に位置する画素４８を対象画素とし、対象画素の出力階調値を高くする。これによって、帯状の後光の発生を抑制することができ、画質の向上及び黒浮きＵの抑制によるコントラスト感の向上を実現することができる。
【００７１】
また、２つの調光領域ＬＤの境界により近い対象画素の出力階調値をより高くする。これによって、２つの調光領域ＬＤの境界付近から離れるに従って表示装置１の出力輝度を漸減させやすくなる。従って、帯状の後光の発生をより確実に抑制することができる。
【００７２】
（変形例）
以下、図２７から図３０を参照して、実施形態１の変形例について説明する。変形例の説明では、図１から図２６を参照して説明した実施形態１と同様の構成に同じ符号を付して説明を省略することがある。
【００７３】
図２７は、変形例における信号処理部１０Ａの機能構成の別の一例を示すブロック図である。変形例による表示装置は、実施形態１の信号処理部１０に代わる構成として、信号処理部１０Ａを備える。変形例の信号処理部１０Ａは、実施形態１の信号処理部１０の各構成に加えて、必要輝度補正係数生成部１１１、必要輝度補正部１１２、輝度逆数補正部１１３を有する。また、変形例の信号処理部１０Ａは、実施形態１の調光階調算出部１０２、画像補正係数生成部１０３、画像処理部１０７に代えて、調光階調算出部１０２Ａ、画像補正係数生成部１０３Ａ、画像処理部１０７Ａを有する。
【００７４】
変形例の調光階調算出部１０２Ａは、必要輝度情報取得部１０１によって取得された必要輝度情報を参照し、（ｙ１）の調光領域ＬＤの透過率を算出する。調光階調算出部１０２Ａは、例えば、Ｙ方向の座標が（ｙ１）である全ての表示分割領域ＰＡの必要輝度が０［％］の場合、（ｙ１）の調光領域ＬＤの透過率を最低透過率（ＢＬ＿ｍｉｎ）として算出する。また、調光階調算出部１０２Ａは、Ｙ方向の座標が（ｙ１）である表示分割領域ＰＡの必要輝度のうち最大の必要輝度が、０［％］を超え、かつ、２５［％］以下である場合、（ｙ１）の調光領域ＬＤの透過率を第１の中間透過率とする。調光階調算出部１０２Ａは、第１の中間透過率として、例えば２５［％］を算出する。また、調光階調算出部１０２Ａは、（ｙ１）の表示分割領域ＰＡの必要輝度のうち最大の必要輝度が、２５［％］を超え、かつ、５０［％］以下である場合、（ｙ１）の調光領域ＬＤの透過率を第２の中間透過率とする。調光階調算出部１０２Ａは、第２の中間透過率として、例えば５０［％］を算出する。これらのいずれにも該当しない場合、調光階調算出部１０２Ａは、（ｙ１）の調光領域ＬＤの透過率を最高透過率（ＢＬ＿ｍａｘ）として算出する。調光階調算出部１０２Ａは、透過率が最低透過率（ＢＬ＿ｍｉｎ）である調光領域ＬＤの階調値（例えば、０）と、透過率が第１の中間透過率である調光領域ＬＤの階調値（例えば、１）と、透過率が第２の中間透過率である調光領域ＬＤの階調値（例えば、２）と、透過率が最高透過率（ＢＬ＿ｍａｘ）である調光領域ＬＤの階調値（例えば、３）とを区別可能に、階調値を算出する。調光階調算出部１０２Ａは、（ｙ２）、（ｙ３）、（ｙ４）の調光領域ＬＤについても、（ｙ１）の調光領域ＬＤと同様に透過率及び階調値を算出する。調光階調算出部１０２Ａは、算出された各調光領域ＬＤの階調値を示す情報を含む信号を、変形例におけるローカルディミング信号ＤＩとして出力する。
【００７５】
変形例では、透過率が最低透過率（ＢＬ＿ｍｉｎ）である調光領域ＬＤの階調値（例えば、０）に応じて、調光領域ＬＤは、最低透過率（ＢＬ＿ｍｉｎ）となるよう制御される。また、透過率が第１の中間透過率である調光領域ＬＤの階調値（例えば、１）に応じて、調光領域ＬＤは、２５［％］の透過率となるよう制御される。また、透過率が第２の中間透過率である調光領域ＬＤの階調値（例えば、２）に応じて、調光領域ＬＤは、５０［％］の透過率となるよう制御される。また、透過率が最高透過率（ＢＬ＿ｍａｘ）である調光領域ＬＤの階調値（例えば、３）に応じて、調光領域ＬＤは、最高透過率（ＢＬ＿ｍａｘ）となるよう制御される。このように、変形例の調光領域ＬＤは、光の透過率を、最低透過率（ＢＬ＿ｍｉｎ）、最高透過率（ＢＬ＿ｍａｘ）又は最低透過率（ＢＬ＿ｍｉｎ）と最高透過率（ＢＬ＿ｍａｘ）との間の透過率である１種類以上の中間透過率のいずれかに変更可能に設けられている。なお、中間透過率は１種類であってもよいし、３種類以上であってもよいし、０％から１００％の間で任意の透過率に設定してもよい。
【００７６】
必要輝度補正係数生成部１１１は、調光階調算出部１０２Ａによって算出された階調値に基づいて、必要輝度補正係数を生成する。必要輝度補正係数は、必要輝度情報取得部１０１によって取得された必要輝度情報が示す必要輝度を補正するための係数である。具体的には、必要輝度補正係数生成部１１１は、例えば調光値を４諧調としたとき、階調値が０又は３である調光領域ＬＤの必要輝度補正係数を１．０にする。すなわち、必要輝度補正係数生成部１１１は、透過率が最低透過率（ＢＬ＿ｍｉｎ）又は最高透過率（ＢＬ＿ｍａｘ）である調光領域ＬＤの必要輝度補正係数を１．０にする。また、必要輝度補正係数生成部１１１は、階調値が１である調光領域ＬＤの必要輝度補正係数を４．０にする。すなわち、必要輝度補正係数生成部１１１は、透過率が２５［％］である調光領域ＬＤの必要輝度補正係数を４．０にする。また、必要輝度補正係数生成部１１１は、階調値が２である調光領域ＬＤの必要輝度補正係数を２．０にする。すなわち、必要輝度補正係数生成部１１１は、透過率が５０［％］である調光領域ＬＤの必要輝度補正係数を２．０にする。
【００７７】
必要輝度補正部１１２は、必要輝度補正係数生成部１１１によって生成された必要輝度補正係数に基づいて、必要輝度情報取得部１０１によって取得された必要輝度情報を補正する。具体的には、必要輝度補正部１１２は、各表示分割領域ＰＡの必要輝度に、対応するＹ方向の座標に位置する調光領域ＬＤの必要輝度補正係数を乗算する。変形例の点灯量算出部１０４は、必要輝度補正部１１２によって補正された必要輝度情報に基づいて複数の光源５１の各々の点灯量を算出する。
【００７８】
変形例の画像補正係数生成部１０３Ａは、隣接する２つの調光領域ＬＤのうち光の透過率が低い調光領域における光の透過率が最低透過率（ＢＬ＿ｍｉｎ）である場合、最低透過率でない場合に比して対象画素の出力階調値をより高くする。具体的には、画像補正係数生成部１０３Ａは、隣接する２つの調光領域ＬＤのうち光の透過率が低い調光領域における光の透過率が最低透過率（ＢＬ＿ｍｉｎ）である場合、図２１を参照して説明した画像補正係数生成部１０３の処理と同様の処理を行う。具体的には、画像補正係数生成部１０３Ａは、例えば対象画素のうち位置Ｐ１にある画素４８の階調値を第１コントラストと第２コントラストの比（ｋ）に対応した値（例えば、ｋ＝０．５（＝５０［％］））にする。
【００７９】
一方、隣接する２つの調光領域のうち光の透過率が低い調光領域ＬＤにおける光の透過率が最低透過率（ＢＬ＿ｍｉｎ）でない場合、画像補正係数生成部１０３Ａは、位置Ｐ１にある画素４８の階調値に対する補正値（ｋａ）を以下の式（１）に基づいて算出する。式（１）におけるＢ（ＰＹ）は、隣接する２つの調光領域ＬＤの境界における光源５１からの輝度（［％］）である。また、ＢＬ＿ｈｉｇｈは、隣接する２つの調光領域のうち光の透過率が高い調光領域ＬＤにおける光の透過率（［％］）である。また、ＢＬ＿ｌｏｗは、隣接する２つの調光領域ＬＤのうち光の透過率が低い調光領域ＬＤにおける光の透過率（［％］）である。
ｋａ＝（Ｂ（ＰＹ）／ＤＰ＿ｃｏｎ）×（ＢＰ＿ｃｏｎ／ＤＰ＿ｃｏｎ）／（ＢＬ＿ｈｉｇｈ／ＢＬ＿ｌｏｗ）…（１）
【００８０】
例えば、Ｂ（ＰＹ）＝１２０［％］，ＤＰ＿ｃｏｎ＝１０００，ＢＰ＿ｃｏｎ＝５００，ＢＬ＿ｈｉｇｈ＝１００［％］，ＢＬ＿ｌｏｗ＝２５［％］である場合、ｋａ＝０．２４［％］である。式（１）を構成する各種の値及び値同士の関係は、ｋａが必ず第１コントラストと第２コントラストの比（ｋ）を下回る値になる。
【００８１】
また、画像補正係数生成部１０３Ａは、画像補正係数生成部１０３と同様、対象画素の補正後の階調値が、一端側から他端側（位置Ｐ１が他端側である場合、他端側から一端側）に向かって漸減するように画素毎に補正度合いを決定する。画像補正係数生成部１０３Ａは、算出された補正値を、画像補正係数（ｋｐｉｘ（ｈ，ｖ））として算出する。変形例において画像補正係数の座標管理にＸ方向が加わるのは、Ｘ方向の位置に応じて隣接する２つの調光領域ＬＤの境界における光源５１からの輝度（［％］）が異なり得るからである。言い換えれば、変形例では、Ｙ方向だけでなく、Ｘ方向についても各画素４８に個別の画像補正係数が算出される。
【００８２】
輝度逆数補正部１１３は、必要輝度補正係数生成部１１１によって生成された必要輝度補正係数に基づいて、輝度逆数生成部１０６によって生成された輝度逆数ｇａｉｎｐｉｘ（ｈ，ｖ）を補正する。具体的には、輝度逆数補正部１１３は、輝度逆数ｇａｉｎｐｉｘ（ｈ，ｖ）に、対応するＹ方向の座標に位置する調光領域ＬＤの必要輝度補正係数を乗算する。輝度逆数補正部１１３は、補正された輝度逆数ｇａｉｎｐｉｘ（ｈ，ｖ）を、輝度逆数Ｅｇａｉｎｐｉｘ（ｈ，ｖ）とする。
【００８３】
変形例の画像処理部１０７Ａは、輝度逆数補正部１１３によって補正された輝度逆数Ｅｇａｉｎｐｉｘ（ｈ，ｖ）を用いて、入力信号ＩＰに含まれる画素４８の階調値にゲインをかけた後、入力信号ＩＰに含まれる画素４８の階調値が黒に対応する階調値であるか否かに関わらず、画像補正係数（ｋｐｉｘ（ｈ，ｖ））を加算する。入力信号ＩＰに含まれる画素４８の階調値に対する処理を除いて、変形例の画像処理部１０７Ａは、実施形態１の画像処理部１０７と同様の構成である。
【００８４】
図２８は、変形例の信号処理部１０Ａによる処理の流れを示すフローチャートである。信号処理部１０Ａは、必要輝度情報の取得（ステップＳ１１）、調光領域ＬＤの透過率算出（ステップＳ１２）、必要輝度補正係数の生成（ステップＳ１３）、必要輝度の補正（ステップＳ１４）、点灯量の算出（ステップＳ１５）、輝度逆数の生成（ステップＳ１６）、輝度逆数の補正（ステップＳ１７）、画像補正係数の生成（ステップＳ１８）、出力階調値の算出（ステップＳ１９）を行う。
【００８５】
図２９は、図２８に示すフローチャートのステップＳ１１からステップＳ１５で行われる処理内容の一例を模式的に示す図である。必要輝度情報の取得（ステップＳ１１）では、必要輝度情報取得部１０１が、各表示分割領域ＰＡで必要な光源５１の輝度を取得する。図２９では、ステップＳ１１において、（ｘ１，ｙ１），（ｘ１，ｙ３），（ｘ３，ｙ１），（ｘ３，ｙ２），（ｘ３，ｙ３）の表示分割領域ＰＡの必要輝度がそれぞれ、４０［％］，１０［％］，１００［％］，２０［％］，４０［％］であり、それ以外の表示分割領域ＰＡの必要輝度が０［％］である場合を例示している。
【００８６】
調光領域の透過率算出（ステップＳ１２）では、調光階調算出部１０２Ａが、各調光領域ＬＤの透過率及び透過率に応じた階調値を算出する。図２９では、ステップＳ１２において、（ｙ１）の調光領域ＬＤの透過率が最高透過率（ＢＬ＿ｍａｘ）（図２９では、１００［％］表記）であり、（ｙ２）の調光領域ＬＤの透過率が第１の中間透過率（２５［％］）であり、（ｙ３）の調光領域ＬＤの透過率が第１の中間透過率（５０［％］）であり、（ｙ４）の調光領域ＬＤの透過率が最低透過率（ＢＬ＿ｍｉｎ）（図２９では、０［％］表記）である場合を例示している。
【００８７】
必要輝度補正係数の生成（ステップＳ１３）では、必要輝度補正係数生成部１１１が、必要輝度補正係数を生成する。図２９では、ステップＳ１３において、（ｙ１），（ｙ４）の調光領域ＬＤの必要輝度補正係数が１．０であり、（ｙ２）の調光領域ＬＤの必要輝度補正係数が４．０であり、（ｙ３）の調光領域ＬＤの必要輝度補正係数が２．０である場合を例示している。
【００８８】
必要輝度の補正（ステップＳ１４）では、必要輝度補正部１１２は、必要輝度補正係数に基づいて、必要輝度情報を補正する。図２９では、ステップＳ１４において、（ｘ１，ｙ３），（ｘ３，ｙ３）の表示分割領域ＰＡの必要輝度（１０［％］，４０［％］）に（ｙ３）の調光領域ＬＤの必要輝度補正係数（２．０）が乗算されたことで、（ｘ１，ｙ３），（ｘ３，ｙ３）の表示分割領域ＰＡの必要輝度がそれぞれ、２０［％］，８０［％］に補正されている。また、（ｘ３，ｙ２）の表示分割領域ＰＡの必要輝度（２０［％］）に（ｙ２）の調光領域ＬＤの必要輝度補正係数（４．０）が乗算されたことで、（ｘ３，ｙ２）の表示分割領域ＰＡの必要輝度が８０［％］に補正されている。
【００８９】
点灯量の算出（ステップＳ１５）では、変形例の点灯量算出部１０４が、複数の光源５１の各々の点灯量を算出する。図２９では、ステップＳ１５において、（ｘ１），（ｘ３）の光源５１が、（ｙ１）の表示分割領域ＰＡの一端側の輝度をそれぞれ４８［％］，１４０［％］にすることができる点灯量で点灯するよう点灯量を算出した場合を例示している。
【００９０】
図３０は、図２８に示すフローチャートのステップＳ１６からステップＳ１８で行われる処理内容の一例を模式的に示す図である。輝度逆数の生成（ステップＳ１６）では、輝度分布生成部１０５が、点灯量算出部１０４によって算出された複数の光源５１の点灯量で得られる輝度分布を示す情報を生成する。その後、輝度逆数生成部１０６が、輝度分布生成部１０５によって生成された輝度分布に基づいて、（ｈ，ｖ）の画素４８の位置に対応する輝度逆数ｇａｉｎｐｉｘ（ｈ，ｖ）を生成する。図３０では、ステップＳ１６において、（ｘ３）の光源５１に対応する輝度分布及び輝度逆数ｇａｉｎｐｉｘ（ｈ，ｖ）を例示している。（ｘ３）の光源５１に対応する輝度分布では、（ｙ１）の表示分割領域ＰＡと（ｙ２）の表示分割領域ＰＡとの境界位置における光源５１からの輝度Ｐ３、（ｙ２）の表示分割領域ＰＡと（ｙ３）の表示分割領域ＰＡとの境界位置における光源５１からの輝度Ｐ４、（ｙ３）の表示分割領域ＰＡと（ｙ４）の表示分割領域ＰＡとの境界位置における光源５１からの輝度Ｐ５を示している。このうち、輝度Ｐ５は、補正された（ｘ３，ｙ３）の表示分割領域ＰＡの必要輝度（８０［％］）に対応する。
【００９１】
輝度逆数の補正（ステップＳ１７）では、輝度逆数補正部１１３が、輝度逆数ｇａｉｎｐｉｘ（ｈ，ｖ）を補正する。図３０では、ステップＳ１７において、（ｘ３）の光源５１に対応する輝度逆数の補正を例示している。具体的には、（ｙ２）の輝度逆数ｇａｉｎｐｉｘ（ｈ，ｖ）に（ｙ２）の調光領域ＬＤの必要輝度補正係数（４．０）が乗算されている。また、（ｙ３）の輝度逆数ｇａｉｎｐｉｘ（ｈ，ｖ）に（ｙ３）の調光領域ＬＤの必要輝度補正係数（２．０）が乗算されている。輝度逆数補正部１１３は、補正された輝度逆数ｇａｉｎｐｉｘ（ｈ，ｖ）を、輝度逆数Ｅｇａｉｎｐｉｘ（ｈ，ｖ）とする。
【００９２】
画像補正係数の生成（ステップＳ１８）では、画像補正係数生成部１０３Ａが、画像補正係数（ｋｐｉｘ（ｈ，ｖ））を算出する。図３０では、ステップＳ１８において、（ｘ３）の光源５１に対応するＸ方向の座標（ｈ）の画像補正係数（ｋｐｉｘ（ｈ，ｖ））を例示している。当該画像補正係数（ｋｐｉｘ（ｈ，ｖ））では、（ｙ２），（ｙ４）の表示分割領域ＰＡに対象画素を設定し、階調値を高くするための補正値を算出している例を示している。より具体的には、図３０では、（ｙ２）の表示分割領域ＰＡに含まれる画素４８のうち、（ｙ１）の表示分割領域ＰＡと（ｙ２）の表示分割領域ＰＡとの境界に最も近い位置の画素４８を一端とし、一端側から他端側に向かって所定画素数（ｘ＿ｐｉｘ）の範囲内に位置する画素４８を対象画素としている。また、（ｙ２）の表示分割領域ＰＡに含まれる画素４８のうち、（ｙ２）の表示分割領域ＰＡと（ｙ３）の表示分割領域ＰＡとの境界に最も近い位置の画素４８を他端とし、他端側から一端側に向かって所定画素数（ｘ＿ｐｉｘ）の範囲内に位置する画素４８を対象画素としている。また、（ｙ４）の表示分割領域ＰＡに含まれる画素４８のうち、（ｙ３）の表示分割領域ＰＡと（ｙ４）の表示分割領域ＰＡとの境界に最も近い位置の画素４８を一端とし、一端側から他端側に向かって所定画素数（ｘ＿ｐｉｘ）の範囲内に位置する画素４８を対象画素としている。当該画像補正係数（ｋｐｉｘ（ｈ，ｖ））におけるｋ１及びｋ２は、上記の式（１）で算出されるｋａの具体的な値の一例である。ｋ１は、Ｂ（Ｐ３）＝１２０［％］，ＤＰ＿ｃｏｎ＝１０００，ＢＰ＿ｃｏｎ＝５００，ＢＬ＿ｈｉｇｈ＝１００［％］，ＢＬ＿ｌｏｗ＝２５［％］である場合のｋａの値（０．２４［％］）である。ｋ２は、Ｂ（Ｐ３）＝１００［％］，ＤＰ＿ｃｏｎ＝１０００，ＢＰ＿ｃｏｎ＝５００，ＢＬ＿ｈｉｇｈ＝５０［％］，ＢＬ＿ｌｏｗ＝２５［％］である場合のｋａの値（０．１０［％］）である。
【００９３】
出力階調値の算出（ステップＳ１９）では、変形例の画像処理部１０７Ａが、輝度逆数Ｅｇａｉｎｐｉｘ（ｈ，ｖ）を用いて、入力信号ＩＰに含まれる画素４８の階調値にゲインをかけた後、画像補正係数（ｋｐｉｘ（ｈ，ｖ））を加算する。具体的には、変形例の画像処理部１０７Ａは、例えば図２８に記載しているように、以下の式（２）、式（３）、式（４）のように出力画像信号ＯＰとして機能する１つの第１副画素４９Ｒの階調値（Ｒｏｕｔ（ｈ，ｖ））、１つの第２副画素４９Ｇの階調値（Ｇｏｕｔ（ｈ，ｖ））及び１つの第３副画素４９Ｂの階調値（Ｂｏｕｔ（ｈ，ｖ））を算出する。
Ｒｏｕｔ（ｈ，ｖ）＝Ｅｇａｉｎｐｉｘ（ｈ，ｖ）×Ｒｉｎ（ｈ，ｖ）＋ｋｐｉｘ（ｈ，ｖ）…（２）
Ｇｏｕｔ（ｈ，ｖ）＝Ｅｇａｉｎｐｉｘ（ｈ，ｖ）×Ｇｉｎ（ｈ，ｖ）＋ｋｐｉｘ（ｈ，ｖ）…（３）
Ｂｏｕｔ（ｈ，ｖ）＝Ｅｇａｉｎｐｉｘ（ｈ，ｖ）×Ｂｉｎ（ｈ，ｖ）＋ｋｐｉｘ（ｈ，ｖ）…（４）
【００９４】
以上説明したように、変形例によれば、調光領域ＬＤの透過率として中間透過率が含まれる場合であっても、帯状の後光の発生をより確実に抑制することができる。
【００９５】
（実施形態２）
図３１は、実施形態２の光源装置５０Ａの一例を示す図である。実施形態２の光源装置５０Ａは、交差する２方向に並ぶ複数の発光領域を有する光源部として機能する。具体的には、例えば図３１に示すように、実施形態２の光源装置５０Ａは、Ｘ方向及びＹ方向に並ぶ複数の光源５１Ａを有する。
【００９６】
図３１等、実施形態２の説明では、Ｙ方向の座標がｙ１，ｙ２，…，ｙ５の５つの座標で管理される場合を例示しているが、これはあくまで一例であってこれに限られるものでない。また、実施形態２の説明では、実施形態１の説明と同様、Ｘ方向の座標がｘ１，ｘ２，…，ｘ９の９つの座標で管理される場合を例示しているが、これはあくまで一例であってこれに限られるものでない。実施形態１、実施形態２のいずれも、座標の数は適宜変更可能である。
【００９７】
光源装置５０Ａは、実施形態２における表示分割領域ＰＡの座標（（ｘ１，ｙ１），（ｘ２，ｙ１），…，（ｘ８，ｙ５），（ｘ９，ｙ５））単位で設けられた光源５１Ａの光をこれらの座標単位で導くように溝等で区切られた導光板ＬＡＡを有する。これはあくまで交差する２方向に並ぶ複数の発光領域を実現するための構成例であってこれに限られるものでない。例えば、これらの座標ごとに個別に導光板が設けられていてもよい。
【００９８】
図３２及び図３３は、実施形態２の光源装置の別の一例を示す図である。図３２及び図３３に示すように、光源装置５０Ｂは、交差する２方向に並ぶ複数の出射部（例えば、導光板Ｇ１，Ｇ２，Ｇ３，Ｇ４，Ｇ５の出射部Ｇ１ｂ，Ｇ２ｂ，Ｇ３ｂ，Ｇ４ｂ，Ｇ５ｂ）と、当該複数の出射部の各々に光を導くガイド部（例えば、導光板Ｇ１，Ｇ２，Ｇ３，Ｇ４，Ｇ５）を有していてもよい。導光板Ｇ１は、底面部Ｇ１ａの出射部Ｇ１ｂ側の面と、境界ＬＤＬの位置で隣接する出射部同士を区切る側面部とによって光を反射して出射部Ｇ１ｂから光を出射することで、当該導光板Ｇ１の一端に設けられた光源５１Ｂの光を（ｙ１）に導く。導光板Ｇ２は、導光板Ｇ１の底面部Ｇ１ａの背面及び底面部Ｇ２ａの出射部Ｇ２ｂ側の面と、境界ＬＤＬの位置で隣接する出射部同士を区切る側面部とによって光を反射して出射部Ｇ２ｂから光を出射することで、当該導光板Ｇ２の一端に設けられた光源５１Ｂの光を（ｙ２）に導く。導光板Ｇ３は、導光板Ｇ２の底面部Ｇ２ａの背面及び底面部Ｇ３ａの出射部Ｇ３ｂ側の面と、境界ＬＤＬの位置で隣接する出射部同士を区切る側面部とによって光を反射して出射部Ｇ３ｂから光を出射することで、当該導光板Ｇ３の一端に設けられた光源５１Ｂの光を（ｙ３）に導く。導光板Ｇ４は、導光板Ｇ３の底面部Ｇ３ａの背面及び底面部Ｇ４ａの出射部Ｇ４ｂ側の面と、境界ＬＤＬの位置で隣接する出射部同士を区切る側面部とによって光を反射して出射部Ｇ４ｂから光を出射することで、当該導光板Ｇ４の一端に設けられた光源５１Ｂの光を（ｙ４）に導く。導光板Ｇ５は、導光板Ｇ４の底面部Ｇ４ａの背面及び底面部Ｇ５ａの出射部Ｇ５ｂ側の面と、境界ＬＤＬの位置で隣接する出射部同士を区切る側面部及び導光板Ｇ５の他端ＬＤＷの側面部とによって光を反射して出射部Ｇ５ｂから光を出射することで、当該導光板Ｇ５の一端に設けられた光源５１Ｂの光を（ｙ５）に導く。このように、導光板Ｇ１，Ｇ２，Ｇ３，Ｇ４，Ｇ５は、対応する座標の表示分割領域ＰＡに光を照射する。
【００９９】
図３３に示すように、導光板Ｇ１，Ｇ２，Ｇ３，Ｇ４，Ｇ５は、ｙ１，ｙ２，…，ｙ５に対応して個別に設けられている。また、導光板Ｇ１，Ｇ２，Ｇ３，Ｇ４，Ｇ５にはそれぞれ、Ｙ方向の一端側に光源５１Ｂが設けられている。すなわち、光源装置５０Ｂは、（ｘ１，ｙ１），（ｘ２，ｙ１），…，（ｘ８，ｙ５），（ｘ９，ｙ５）に個別に光を導かれる複数の光源５１Ｂを有する。なお、導光板Ｇ１，Ｇ２，Ｇ３，Ｇ４，Ｇ５のうち、Ｘ方向の両端（例えば、ｘ１，ｘ９の座標）に位置するものは、Ｘ方向の一側面部ＬＤＳ１，ＬＤＳ２によっても光を反射する。
【０１００】
このように、実施形態２の光源装置５０Ａ，５０Ｂは、複数の導光領域にそれぞれ１つ以上の光源が設けられている。具体的には、複数の光源５１Ａ，５１Ｂは、（ｘ１，ｙ１），（ｘ２，ｙ１），…，（ｘ８，ｙ５），（ｘ９，ｙ５）の各々に個別に設けられている。図３１並びに図３２及び図３３を参照して説明した例では、（ｘ１，ｙ１），（ｘ２，ｙ１），…，（ｘ８，ｙ５），（ｘ９，ｙ５）の各々に対応する導光領域に１つの光源５１Ａ又は光源５１Ｂが設けられているが、１つの導光領域に２つ以上の光源が設けられていてもよい。
【０１０１】
図３４は、実施形態２の調光部７０Ｂの主要構成例を示す図である。実施形態２の調光パネル８０Ｂは、交差する２方向に並ぶ複数の調光領域ＬＤＢを有する。具体的には、調光パネル８０Ｂは、（ｘ１，ｙ１），（ｘ２，ｙ１），…，（ｘ８，ｙ５），（ｘ９，ｙ５）で個別に光の透過率を個別に調節可能に設けられている。調光パネル８０Ｂは、例えば図３４に示すように、（ｘ１，ｙ１），（ｘ２，ｙ１），…，（ｘ８，ｙ５），（ｘ９，ｙ５）に個別に設けられた第１電極８１Ｂを有する。すなわち、図３４に示す例では、複数の調光領域ＬＤＢにそれぞれ個別の第１電極８１Ｂが設けられている。
【０１０２】
実施形態２の回路部９０は、座標が異なる第１電極８１Ｂの電位を個別に制御する。実施形態２の信号処理部１０は、（ｘ１，ｙ１），（ｘ２，ｙ１），…，（ｘ８，ｙ５），（ｘ９，ｙ５）の座標単位で光の透過率を個別に制御するためのローカルディミング信号ＤＩを出力する。
【０１０３】
図３５は、表示出力内容の一例を示す模式図である。図３５並びに後述する図３６及び図３７では、調光領域との関係を明示する目的で、隣接する調光領域ＬＤＢ同士の境界線ＬＤＬを示している。例えば、図３５に示すように、複数の表示分割領域ＰＡのうち１つの表示分割領域ＰＡに光源からの光を必要とする高輝度部ＬＰ１を含み、それ以外が最低輝度（黒）である表示出力が求められる場合を想定する。
【０１０４】
図３６は、図３５に示す表示出力内容に対応した光源輝度分布の一例を示す模式図である。実施形態２の光源装置（例えば、光源装置５０Ａ又は光源装置５０Ｂ）は、高輝度部ＬＰ１を含む表示分割領域ＰＡと同一座標の導光領域から光を照射する。当該光源装置は、他の導光領域から光を照射しない。ただし、高輝度部ＬＰ１を含む表示分割領域ＰＡと同一座標の導光領域からの光の一部は、当該表示分割領域ＰＡに隣接する周囲の表示分割領域ＰＡにも届き得る。このため、高輝度部ＬＰ１を含む表示分割領域ＰＡの位置を中心とした光源輝度分布ＬＰ２が生じる。仮に、調光部７０Ｂを有しない表示装置を想定すると、図１６を参照して説明した例と同様の仕組みで、光源輝度分布ＬＰ２の範囲で黒浮きＵが生じることになる。
【０１０５】
図３７は、図３６に示す光源輝度分布で出力輝度の急変ラインＳＴ２，ＳＴ３，ＳＴ４，ＳＴ５が生じる場合を示す模式図である。高輝度部ＬＰ１を含む表示分割領域ＰＡ以外の表示分割領域ＰＡでは光が不要である。このため、仮に、高輝度部ＬＰ１を含む表示分割領域ＰＡ以外の表示分割領域ＰＡと同一座標の調光領域ＬＤＢを最低透過率（ＢＬ＿ｍｉｎ）とするよう調光パネル８０Ｂを動作させた場合、これらの表示分割領域ＰＡにおける出力輝度をより低くして黒浮きＵを抑制することができる。
【０１０６】
一方、高輝度部ＬＰ１を含む表示分割領域ＰＡでは光源からの光が必要であるため、当該表示分割領域ＰＡと同一座標の調光領域ＬＤＢは最低透過率（ＢＬ＿ｍｉｎ）より高い透過率（例えば、最高透過率（ＢＬ＿ｍａｘ））とされる。このため、図３７に示すように、高輝度部ＬＰ１を含む表示分割領域ＰＡでは黒浮きＵの抑制がない。これによって、高輝度部ＬＰ１を含む表示分割領域ＰＡと当該表示分割領域ＰＡに隣接する表示分割領域ＰＡとの境界に、出力輝度の急変ラインＳＴ２，ＳＴ３，ＳＴ４，ＳＴ５が生じる。
【０１０７】
そこで、実施形態２の信号処理部１０は、隣接する２つの調光領域ＬＤＢの各々の光の透過率が異なる場合、該２つの調光領域ＬＤＢの境界付近（例えば、境界から所定画素数（ｘ＿ｐｉｘ）の範囲）において、光の透過率が低い調光領域ＬＤＢに位置する画素の出力階調値を高くする制御部として機能する。これによって、出力輝度の急変ラインＳＴ２，ＳＴ３，ＳＴ４，ＳＴ５の発生を抑制することができる。
【０１０８】
図３８は、実施形態２の信号処理部１０による処理の流れを示すフローチャートである。信号処理部１０は、必要輝度情報の取得（ステップＳ２１）、調光領域ＬＤＢの透過率算出（ステップＳ２２）、画像補正係数の生成（ステップＳ２３）、点灯量の算出（ステップＳ２４）、輝度逆数の生成（ステップＳ２５）、出力階調値の算出（ステップＳ２６）を行う。ステップＳ２１からステップＳ２６の処理のうち、ステップＳ２２からステップＳ２３の処理と、ステップＳ２４からステップＳ２５の処理とは、ステップＳ２１の処理後に並行実施されてもよい。ステップＳ２３及びステップＳ２５の処理後、ステップＳ２６の処理が行われる。
【０１０９】
図３９は、図３８に示すフローチャートのステップＳ２１からステップＳ２５の処理内容の一例を模式的に示す図である。以下の説明では、実施形態２の表示装置が光源装置５０Ｂを備える場合について例示する。実施形態２の表示装置が光源装置５０Ａを備える場合、以下の説明における光源５１Ｂを光源５１Ａと読み替える。必要輝度情報の取得（ステップＳ２１）では、必要輝度情報取得部１０１が、各表示分割領域ＰＡで必要な光源５１Ｂの輝度を取得する。図３９では、ステップＳ２１において、（ｘ３，ｙ１），（ｘ３，ｙ３）の表示分割領域ＰＡの必要輝度がそれぞれ、１００［％］，２０［％］であり、それ以外の表示分割領域ＰＡの必要輝度が０［％］である場合を例示している。
【０１１０】
調光領域の透過率算出（ステップＳ２２）では、調光階調算出部１０２Ａが、各調光領域ＬＤＢの透過率及び透過率に応じた階調値を算出する。図３９では、ステップＳ２２において、（ｘ３，ｙ１），（ｘ３，ｙ３）の調光領域ＬＤＢの透過率が最高透過率（ＢＬ＿ｍａｘ）（図３９では、１００［％］表記）であり、他の座標の調光領域ＬＤＢの透過率が最低透過率（ＢＬ＿ｍｉｎ）（図３９では、０［％］表記）である場合を例示している。
【０１１１】
画像補正係数の生成（ステップＳ２３）では、画像補正係数生成部１０３Ａが、画像補正係数（ｋｐｉｘ（ｖ））を算出する。図３９では、ステップＳ２３において、（ｘ３，ｙ２），（ｘ３，ｙ４）の表示分割領域ＰＡに対象画素を設定し、対象画素の階調値が（Ｒ，Ｇ，Ｂ）＝（０，０，０）である場合に階調値を高くするための補正値を算出している例を示している。より具体的には、（ｘ３，ｙ２）の表示分割領域ＰＡに含まれる画素４８のうち、（ｘ３，ｙ１）の表示分割領域ＰＡと（ｘ３，ｙ２）の表示分割領域ＰＡとの境界に最も近い位置の画素４８を一端とし、一端側から他端側に向かって所定画素数（ｘ＿ｐｉｘ）の範囲内に位置する画素４８を対象画素としている。また、（ｘ３，ｙ２）の表示分割領域ＰＡに含まれる画素４８のうち、（ｘ３，ｙ２）の表示分割領域ＰＡと（ｙ３）の表示分割領域ＰＡとの境界に最も近い位置の画素４８を他端とし、他端側から一端側に向かって所定画素数（ｘ＿ｐｉｘ）の範囲内に位置する画素４８を対象画素としている。このように、１つの表示分割領域ＰＡにおいて一端側及び他端側から所定画素数（ｘ＿ｐｉｘ）の範囲内に位置する画素４８を対象画素とする場合を考慮して所定画素数（ｘ＿ｐｉｘ）を定めるようにしてもよい。例えば、所定画素数（ｘ＿ｐｉｘ）は、１つの表示分割領域ＰＡが有するＹ方向の画素数の１／２以下の数であってもよい。また、図３９では、（ｙ４）の表示分割領域ＰＡに含まれる画素４８のうち、（ｘ３，ｙ３）の表示分割領域ＰＡと（ｘ３，ｙ４）の表示分割領域ＰＡとの境界に最も近い位置の画素４８を一端とし、一端側から他端側に向かって所定画素数（ｘ＿ｐｉｘ）の範囲内に位置する画素４８を対象画素としている。
【０１１２】
図３９に示す例では、（ｘ３）におけるＹ方向の画像補正係数（ｋｐｉｘ（ｖ））を例示しているが、実施形態２の画像補正係数生成部１０３Ａは、同様の仕組みで、（ｘ３）以外のＹ方向の画像補正係数（ｋｐｉｘ（ｖ））も算出する。ただし、図３９に示す例では、（ｘ３）以外のＸ方向の座標では表示分割領域ＰＡの必要輝度が０［％］である。このため、（ｘ３）以外のＹ方向の画像補正係数（ｋｐｉｘ（ｖ））では、第１コントラストと第２コントラストの比（ｋ）に対応した補正値は設定されない。
【０１１３】
また、実施形態２の画像補正係数生成部１０３Ａは、同様の仕組みで、Ｘ方向の画像補正係数（ｋｐｉｘ（ｈ））も算出する。具体的には、画像補正係数生成部１０３Ａは、（ｙ１）の画像補正係数（ｋｐｉｘ（ｈ））の算出に際して、（ｘ２，ｙ１），（ｘ４，ｙ１）の表示分割領域ＰＡに対象画素を設定し、対象画素の階調値が（Ｒ，Ｇ，Ｂ）＝（０，０，０）である場合に階調値を高くするための補正値を算出する。また、画像補正係数生成部１０３Ａは、（ｙ３）の画像補正係数（ｋｐｉｘ（ｈ））の算出に際して、（ｘ２，ｙ３），（ｘ４，ｙ３）の表示分割領域ＰＡに対象画素を設定し、対象画素の階調値が（Ｒ，Ｇ，Ｂ）＝（０，０，０）である場合に階調値を高くするための補正値を算出する。それ以外のＸ方向の画像補正係数（ｋｐｉｘ（ｈ））では、第１コントラストと第２コントラストの比（ｋ）に対応した補正値は設定されない。
【０１１４】
点灯量の算出（ステップＳ２４）では、点灯量算出部１０４が、複数の光源５１Ｂの各々の点灯量を算出する。図３９では、ステップＳ２４において、（ｘ３，ｙ１），（ｘ３，ｙ３）の光源５１Ｂが、（ｘ３，ｙ１），（ｘ３，ｙ３）の表示分割領域ＰＡの最高輝度をそれぞれ１２０［％］，３０［％］にすることができる点灯量で点灯するよう点灯量を算出した場合を例示している。なお、この１２０［％］の点灯量は、（ｘ３，ｙ１）の表示分割領域ＰＡのうち光源５１Ｂからの光が最も弱くなる位置の輝度Ｐ６，Ｐ７で１００［％］の輝度による表示出力が可能な輝度である。また、この３０［％］の点灯量は、（ｘ３，ｙ３）の表示分割領域ＰＡのうち光源５１Ｂからの光が最も弱くなる位置の輝度Ｐ８で２０［％］の輝度による表示出力が可能な輝度である。
【０１１５】
輝度逆数の生成（ステップＳ２５）では、輝度分布生成部１０５が、点灯量算出部１０４によって算出された複数の光源５１Ｂの点灯量で得られる輝度分布を示す情報を生成する。その後、輝度逆数生成部１０６が、輝度分布生成部１０５によって生成された輝度分布に基づいて、（ｈ，ｖ）の画素４８の位置に対応する輝度逆数ｇａｉｎｐｉｘ（ｈ，ｖ）を生成する。図３９では、ステップＳ２５において、（ｘ３）の光源５１Ｂに対応するＹ方向の輝度分布及び輝度逆数ｇａｉｎｐｉｘ（ｈ，ｖ）を例示している。
【０１１６】
図４０は、図３８における出力階調値の算出処理の流れを示すフローチャートである。出力階調値の算出（ステップＳ２６）では、画像処理部１０７Ａが、出力画像信号ＯＰとして機能する各画素４８の出力階調値を算出する。具体的には、画像処理部１０７Ａは、入力信号ＩＰに含まれる１つの画素４８の階調値が（Ｒ，Ｇ，Ｂ）＝（０，０，０）であるか否か判定する（ステップＳ６１）。より具体的には、画像処理部１０７Ａは、例えばステップＳ６１で図示しているように、１つの画素４８が有する副画素４９毎に階調値が０であるか否かをチェックする。すなわち、画像処理部１０７Ａは、入力信号ＩＰに含まれる１つの第１副画素４９Ｒの階調値（Ｒｉｎ（ｈ，ｖ））、１つの第２副画素４９Ｇの階調値（Ｇｉｎ（ｈ，ｖ））及び１つの第３副画素４９Ｂの階調値（Ｂｉｎ（ｈ，ｖ））について個別に０であるか否かチェックする。
【０１１７】
入力信号ＩＰに含まれる１つの対象画素の階調値が（Ｒ，Ｇ，Ｂ）＝（０，０，０）である場合（ステップＳ６１：Ｙｅｓ）、画像処理部１０７Ａは、対象画素と判定された１つの画素４８が有する副画素４９の各々の階調値を、以下の式（５）、式（６）、式（７）を用いて算出する（ステップＳ６４）。ただし、ステップＳ６４の処理において、Ｔｘ（ｈ，ｙ）×Ｔｙ（ｘ，ｖ）＝１（１００％）の場合、Ｔｘ（ｈ，ｙ）×Ｔｙ（ｘ，ｖ）＝０に置換される。すなわち、Ｔｘ（ｈ，ｙ）×Ｔｙ（ｘ，ｖ）＝１（１００％）の場合、Ｒｏｕｔ（ｈ，ｖ）＝Ｇｏｕｔ（ｈ，ｖ）＝Ｂｏｕｔ（ｈ，ｖ）＝０である。Ｔｘ（ｈ，ｙ）は、あるＹ座標（ｙ）においてＸ方向に並ぶ画素４８の各々の位置（ｈ）の前処理係数である。Ｔｙ（ｘ，ｖ）は、あるＸ座標（ｘ）においてＹ方向に並ぶ画素４８の各々の位置（ｖ）の前処理係数である。
Ｒｏｕｔ（ｈ，ｖ）＝ｋ×Ｔｘ（ｈ，ｙ）×Ｔｙ（ｘ，ｖ）…（５）
Ｇｏｕｔ（ｈ，ｖ）＝ｋ×Ｔｘ（ｈ，ｙ）×Ｔｙ（ｘ，ｖ）…（６）
Ｂｏｕｔ（ｈ，ｖ）＝ｋ×Ｔｘ（ｈ，ｙ）×Ｔｙ（ｘ，ｖ）…（７）
【０１１８】
図４１は、実施形態２において対象画素の階調値の算出に用いられる前処理係数Ｔｘ（ｈ，ｙ），Ｔｙ（ｘ，ｖ）の例を示す図である。画像処理部１０７Ａは、第１コントラストと第２コントラストの比（ｋ）と、前処理係数Ｔｘ（ｈ，ｙ），Ｔｙ（ｘ，ｖ）とを用いて対象画素と判定された１つの画素４８が有する副画素４９の各々の階調値を算出する。具体的には、ステップＳ２２において隣接する２つの調光領域ＬＤＢの一方の光の透過率が最高透過率（ＢＬ＿ｍａｘ）であり、他方の座標の調光領域ＬＤの透過率が最低透過率（ＢＬ＿ｍｉｎ）であるという条件が満たされるか否かで場合分けをする。当該条件が満たされる場合、該２つの調光領域ＬＤＢの境界から所定画素数（ｘ＿ｐｉｘ）の範囲において、１（１００％）未満の前処理係数Ｔｘ（ｈ，ｙ），Ｔｙ（ｘ，ｖ）が設定される。具体的には、所定画素数（ｘ＿ｐｉｘ）の範囲内で、最高透過率（ＢＬ＿ｍａｘ）の調光領域ＬＤＢを一端側とし、最低透過率（ＢＬ＿ｍｉｎ）の調光領域ＬＤＢを他端側として、一端側から他端側に向かって漸減する前処理係数Ｔｘ（ｈ，ｙ），Ｔｙ（ｘ，ｖ）が設定される。当該条件が満たされない２つの調光領域ＬＤＢには、１（１００％）の前処理係数Ｔｘ（ｈ，ｙ），Ｔｙ（ｘ，ｖ）が設定される。当該設定は、画像処理部１０７Ａが行ってもよいし、画像補正係数生成部１０３が行ってもよいし、信号処理部１０が有する他の構成が行ってもよい。
【０１１９】
図４１では、説明を簡略化する目的で、ｘ６，ｘ７，ｘ８，ｘ９とｙ１，ｙ２，ｙ３，ｙ４の座標の組み合わせによる１６の調光領域ＬＤＢの透過率の一例に基づいた前処理係数Ｔｘ（ｈ，ｙ），Ｔｙ（ｘ，ｖ）を示している。図４１では、（ｘ８，ｙ２），（ｘ９，ｙ３）の調光領域ＬＤＢが最高透過率（ＢＬ＿ｍａｘ）であり、それ以外の調光領域ＬＤＢが最低透過率（ＢＬ＿ｍｉｎ）である。従って、図４１では、例えば、（ｙ２）の水平画素座標（ｈ）における前処理係数Ｔｘ（ｈ，２）は、（ｘ７，ｙ２），（ｘ９，ｙ２）のうち（ｘ８，ｙ２）側の所定画素数（ｘ＿ｐｉｘ）の範囲において、１（１００％）未満の値を含む。また、（ｙ３）の水平画素座標（ｈ）における前処理係数Ｔｘ（ｈ，３）は、（ｘ８，ｙ３）のうち（ｘ９，ｙ３）側の所定画素数（ｘ＿ｐｉｘ）の範囲において、１（１００％）未満の値を含む。また、（ｘ８）の垂直画素座標（ｖ）における前処理係数Ｔｙ（８，ｖ）は、（ｘ８，ｙ１），（ｘ８，ｙ３）のうち（ｘ８，ｙ２）側の所定画素数（ｙ＿ｐｉｘ）の範囲において、１（１００％）未満の値を含む。また、（ｘ９）の垂直画素座標（ｖ）における前処理係数Ｔｙ（９，ｖ）は、（ｘ９，ｙ２），（ｘ９，ｙ４）のうち（ｘ９，ｙ３）側の所定画素数（ｙ＿ｐｉｘ）の範囲において、１（１００％）未満の値を含む。また、これらの前処理係数Ｔｘ（ｈ，２），（ｈ，３），Ｔｙ（８，ｖ），（９，ｖ）に設定されている値は、特筆した所定画素数（ｙ＿ｐｉｘ）の範囲を除いて、１（１００％）である。また、（ｙ１），（ｙ４）の水平画素座標（ｈ）における前処理係数Ｔｘ（ｈ，１），（ｈ，４）に設定される値は、Ｘ方向の画素４８の座標（ｈ）を問わず、１（１００％）である。また、（ｘ６），（ｘ７）の垂直画素座標（ｖ）における前処理係数Ｔｙ（６，ｖ），（７，ｖ）に設定される値は、Ｙ方向の画素４８の座標（ｖ）を問わず、１（１００％）である。
【０１２０】
一例として、ｘ＿ｐｉｘ＝５、すなわち、所定画素数（ｘ＿ｐｉｘ）の範囲が５画素分の幅を有する場合、所定画素数（ｘ＿ｐｉｘ）の範囲において設定される１（１００％）未満の値は、一端側から他端側に向かって、０．９９（９９％），０．７５（７５％），０．５０（５０％），０．２５（２５％），０．０１（１％）であり得るが、これは一例であってこれに限られるものでない。ｘ＿ｐｉｘの具体的な値及び１（１００％）未満の具体的な値は適宜変更可能である。一端側から他端側に向かう値の変化は一次直線状であってもよいし、曲線状であってもよい。また、ｙ＿ｐｉｘの値は、ｘ＿ｐｉｘと同じであってもよいし、異なっていてもよい。
【０１２１】
このように、対象画素となる画素４８が位置する所定画素数（ｘ＿ｐｉｘ）の範囲では、前処理係数Ｔｘ（ｈ，ｙ），Ｔｙ（ｘ，ｖ）の少なくとも一方に１（１００％）未満の値が設定されている。このため、画像処理部１０７Ａは、上記の式（５）、式（６）、式（７）を用いて階調値を算出することで、対象画素の階調値を高くすることができる。このため、隣接する２つの調光領域ＬＤＢの透過率の差による輝度差をより視認しにくくすることができる。従って、帯状の後光の発生を抑制することができ、画質の向上及び黒浮きＵの抑制によるコントラスト感の向上を実現することができる。
【０１２２】
なお、Ｘ方向及びＹ方向の両方で最高透過率（ＢＬ＿ｍａｘ）の調光領域ＬＤＢと隣接する最低透過率（ＢＬ＿ｍｉｎ）の調光領域ＬＤＢと同一座標の表示分割領域ＰＡは、Ｘ方向及びＹ方向の両方からの光の影響を受けると考えられる。このため、このような条件下にある対象画素においては、前処理係数Ｔｘ（ｈ，ｙ）及び前処理係数Ｔｙ（ｘ，ｖ）の両方が１（１００％）未満になる。例えば、図４１に示す前処理係数Ｔｘ（ｈ，２）のうち１つの画素４８のＸ座標ＳＰ（ｈ）と前処理係数Ｔｙ（９，ｖ）のうち１つの画素４８のＹ座標ＳＰ（ｖ）との組み合わせによるＸＹ座標ＳＰ（ｈ，ｖ）では、前処理係数Ｔｘ（ｈ，ｙ）及び前処理係数Ｔｙ（ｘ，ｖ）の両方が１（１００％）未満である。ここで、Ｘ座標ＳＰ（ｈ）の前処理係数Ｔｘ（ｈ，ｙ）及びＹ座標ＳＰ（ｖ）の前処理係数Ｔｙ（９，ｖ）が０．８（８０％）である場合、Ｔｘ（ｈ，ｙ）×Ｔｙ（ｘ，ｖ）＝０．８×０．８×０．６４になる。また、Ｘ方向又はＹ方向の一方で最高透過率（ＢＬ＿ｍａｘ）の調光領域ＬＤＢと隣接する最低透過率（ＢＬ＿ｍｉｎ）の調光領域ＬＤＢと同一座標の表示分割領域ＰＡでは、このような１（１００％）未満の前処理係数Ｔｘ（ｈ，ｙ），Ｔｙ（ｘ，ｖ）の乗算は生じない。このため、最高透過率（ＢＬ＿ｍａｘ）でない他方の調光領域ＬＤＢの前処理係数Ｔｘ（ｈ，ｙ）又は前処理係数Ｔｙ（ｘ，ｖ）は、１（１００％）である。これによって、一方の調光領域ＬＤＢの前処理係数Ｔｘ（ｈ，ｙ）又は前処理係数Ｔｙ（ｘ，ｖ）に設定されている１（１００％）未満の値が反映される。
【０１２３】
前処理係数Ｔｘ（ｈ，ｙ），Ｔｙ（ｘ，ｖ）が共に１（１００％）である場合、式（５）、式（６）、式（７）に例外を設けずに階調値を算出した場合、対象画素以外にも第１コントラストと第２コントラストの比（ｋ）に対応した補正値が反映されてしまう。そこで、Ｔｘ（ｈ，ｙ）×Ｔｙ（ｘ，ｖ）＝１（１００％）の場合、Ｔｘ（ｈ，ｙ）×Ｔｙ（ｘ，ｖ）＝０に置換することで、第１コントラストと第２コントラストの比（ｋ）に対応した補正値が反映される画素４８を対象画素に限定することができる。
【０１２４】
なお、入力信号ＩＰに含まれる１つの画素４８の階調値が（Ｒ，Ｇ，Ｂ）＝（０，０，０）でない場合（ステップＳ６１：Ｎｏ）、実施形態１と同様、画像処理部１０７Ａは、判定された１つの画素４８が有する副画素４９の各々の階調値に輝度逆数ｇａｉｎｐｉｘ（ｈ，ｖ）を乗算する（ステップＳ６３）。以上、特筆した事項を除いて、実施形態２の表示装置の構成は、実施形態１の表示装置１と同様である。
【０１２５】
以上、実施形態２によれば、交差する２方向（例えば、Ｘ方向及びＹ方向）の両方について、帯状の後光の発生を抑制することができる。
【０１２６】
なお、上記の実施形態及び変形例（実施形態等）による表示装置１等は、例えばヘッドアップディスプレイに採用されるが、これはあくまで表示装置１等の具体的な採用例であってこれに限られるものでない。表示装置１等は、他の用途、製品等に適宜採用可能である。
【０１２７】
また、上記の実施形態等では、画像表示パネル３０と光源装置（例えば、光源装置５０，５０Ａ，５０Ｂ）との間に調光パネル（例えば、調光パネル８０，８０Ｂ）が位置している場合を例示しているが、これは画像表示パネル３０、調光パネル、光源装置及び調光パネルの相互位置関係の一例であってこれに限られるものでない。例えば、画像表示パネル３０の表示面側に調光パネルが位置していてもよい。調光パネルは、光源装置に対して表示パネル側に設けられていればよい。
【０１２８】
また、上記の実施形態等では、制御部として機能する信号処理部１０が光源５１，５１Ａ，５１Ｂの点灯量を決定しているが、これは一例であって実施形態の具体的制御内容をこれに限定するものでない。光源５１，５１Ａ，５１Ｂの点灯量は、予め定められた点灯量であってもよい。
【０１２９】
また、実施形態１で例示した一次元の調光領域の説明における計算式等、透過率と対象画素の補正値との対応関係に関する考え方は、実施形態２において当該一次元方向（例えば、Ｘ方向）に並ぶ調光領域の透過率が一律である場合に適用することができる。なぜなら、実施形態２において当該一次元方向（例えば、Ｘ方向）に並ぶ調光領域の透過率が一律であるということは、調光領域が一次元的に調節されている状態になっているということを示すからである。
【０１３０】
また、実施形態等において述べた態様によりもたらされる他の作用効果について本明細書記載から明らかなもの、又は当業者において適宜想到し得るものについては、当然に本発明によりもたらされるものと解される。
【符号の説明】
【０１３１】
１      表示装置
１０    信号処理部
２０    表示部
３０    画像表示パネル
５０，５０Ａ，５０Ｂ    光源装置
５１，５１Ａ，５１Ｂ    光源
６０    光源制御回路
７０，７０Ｂ    調光部
８０，８０Ｂ    調光パネル
９０    回路部
１０１  必要輝度情報取得部
１０２，１０２Ａ  調光階調算出部
１０３，１０３Ａ  画像補正係数生成部
１０４  点灯量算出部
１０５  輝度分布生成部
１０６  輝度逆数生成部
１０７，１０７Ａ  画像処理部
１１１  必要輝度補正係数生成部
１１２  必要輝度補正部
１１３  輝度逆数補正部
ＬＤ，ＬＤＢ  調光領域
【図１】
2019028418.tif 000003
【図２】
2019028418.tif 000004
【図３】
2019028418.tif 000005
【図４】
2019028418.tif 000006
【図５】
2019028418.tif 000007
【図６】
2019028418.tif 000008
【図７】
2019028418.tif 000009
【図８】
2019028418.tif 000010
【図９】
2019028418.tif 000011
【図１０】
2019028418.tif 000012
【図１１】
2019028418.tif 000013
【図１２】
2019028418.tif 000014
【図１３】
2019028418.tif 000015
【図１４】
2019028418.tif 000016
【図１５】
2019028418.tif 000017
【図１６】
2019028418.tif 000018
【図１７】
2019028418.tif 000019
【図１８】
2019028418.tif 000020
【図１９】
2019028418.tif 000021
【図２０】
2019028418.tif 000022
【図２１】
2019028418.tif 000023
【図２２】
2019028418.tif 000024
【図２３】
2019028418.tif 000025
【図２４】
2019028418.tif 000026
【図２５】
2019028418.tif 000027
【図２６】
2019028418.tif 000028
【図２７】
2019028418.tif 000029
【図２８】
2019028418.tif 000030
【図２９】
2019028418.tif 000031
【図３０】
2019028418.tif 000032
【図３１】
2019028418.tif 000033
【図３２】
2019028418.tif 000034
【図３３】
2019028418.tif 000035
【図３４】
2019028418.tif 000036
【図３５】
2019028418.tif 000037
【図３６】
2019028418.tif 000038
【図３７】
2019028418.tif 000039
【図３８】
2019028418.tif 000040
【図３９】
2019028418.tif 000041
【図４０】
2019028418.tif 000042
【図４１】
2019028418.tif 000043